(57)【要約】【課題】可動体を適正位置に停止させることができる遊技機を提供すること。【解決手段】所定位置へ向けて移動可能な可動体５００Ｌ，５００Ｒを備え、前記可動体は、該可動体の一方側の第１端部５１１Ｌ，５１１Ｒよりも他方側の第２端部５１２Ｌ，５１２Ｒに近い被作用部５１５Ｌ，５１５Ｒに駆動源の動力が作用することで、前記第１端部と前記第２端部とが前記所定位置へ向けて移動するものであり、前記可動体が前記所定位置に移動したときに該可動体における前記第２端部よりも前記第１端部に近い所定部５６０に接触して移動を規制する接触部５４０Ｌ，５４０Ｒと、を備え、前記接触部と前記所定部のうち少なくとも一方は、該接触部と該所定部との接触による衝撃を吸収可能である。【選択図】図２０
2020068810.tif 000002
【特許請求の範囲】
【請求項１】
遊技が可能な遊技機であって、
所定位置へ向けて移動可能な可動体を備え、
前記可動体は、該可動体の一方側の第１端部よりも他方側の第２端部に近い被作用部に駆動源の動力が作用することで、前記第１端部と前記第２端部とが前記所定位置へ向けて移動するものであり、
前記可動体が前記所定位置に移動したときに該可動体における前記第２端部よりも前記第１端部に近い所定部に接触して移動を規制する接触部と、
を備え、
前記接触部と前記所定部のうち少なくとも一方は、該接触部と該所定部との接触による衝撃を吸収可能である
ことを特徴とする遊技機。
【発明の詳細な説明】
【技術分野】
【０００１】
本発明は、遊技が可能な遊技機に関する。
【背景技術】
【０００２】
遊技機の一例であるパチンコ遊技機やスロットマシンにあっては、所定位置(例えば左右方向)に向けて移動可能に設けられた可動体を移動させることにより演出の向上を図るものが提案されている。
【０００３】
この種の可動体を備えたパチンコ遊技機として、例えば、所定位置に移動する可動体を有し、該可動体の一端部側に駆動源の動力が作用するようになっており、他端部はガイド部材に沿って移動自在にガイドされており、該可動体の一端部側に駆動源の動力が作用することで、可動体の一端部と他端部とが平行にスライド移動するもの等があった（例えば、特許文献１参照）。
【先行技術文献】
【特許文献】
【０００４】
【特許文献１】特開２０１２−１９９２０号公報（第９頁、第４図）
【発明の概要】
【発明が解決しようとする課題】
【０００５】
上記特許文献１に記載の遊技機にあっては、駆動源の動力が作用する部位から遠い位置にある可動体の他端部は、ガイド部材に沿って移動自在となっているため、可動体を所定位置に移動させたときに、可動体の他端部を適正位置に安定して停止させることが困難であった。
【０００６】
本発明は、このような問題点に着目してなされたもので、可動体を適正位置に停止させることができる遊技機を提供することを目的とする。
【課題を解決するための手段】
【０００７】
前記課題を解決するために、本発明の手段１の遊技機は、
遊技が可能な遊技機（例えば、パチンコ遊技機１）であって、
所定位置（例えば、第３可動体５００Ｌ，５００Ｒの演出位置）へ向けて移動可能な可動体（例えば、第３可動体５００Ｌ，５００Ｒ／第３可動体５８０）を備え、
前記可動体は、該可動体の一方側の第１端部（例えば、上端部５１１Ｌ，５１１Ｒ／上端部５８１）よりも他方側の第２端部（例えば、下端部５１２Ｌ，５１２Ｒ／下端部５８２）に近い被作用部（例えば、被作用部５１５Ｌ，５１５Ｒ／被作用部５８６）に駆動源の動力が作用することで、前記第１端部と前記第２端部とが前記所定位置へ向けて移動するものであり（例えば、第３可動体５００Ｌ，５００Ｒは、画像表示装置５の左右位置に退避した待機位置（特定位置（図１８（Ａ）、図２０（Ａ）、図２１（Ａ）参照））と、画像表示装置５の中央位置の前面側に重複する演出位置（所定位置（図１８（Ｂ）、図２０（Ｂ）、図２１（Ｂ）参照））と、の間で該第３可動体５００Ｌ，５００Ｒの姿勢を保ったまま左右方向に移動可能とされている。）、
前記可動体が前記所定位置に移動したときに該可動体における前記第２端部よりも前記第１端部に近い所定部（例えば、所定部５６０は、第３可動体５００Ｌの上端部５１１Ｌ近傍の側面である。）に接触して移動を規制する接触部（例えば、移動規制部５４０Ｌは、第３可動体５００Ｌが演出位置にあるときに、該第３可動体５００Ｌの上端部５１１Ｌ近傍に設けられた所定部５６０に接触して右側への移動を規制している。）と、
を備え、
前記接触部と前記所定部のうち少なくとも一方は、該接触部と該所定部との接触による衝撃を吸収可能である（例えば、第３可動体５００Ｌ，５００Ｒが待機位置から演出位置に移動するときには、移動規制部５４０Ｌ，５４０Ｒと所定部５６０との接触による衝撃が吸収されながら移動規制される。図１８、図２０、図２１参照）
ことを特徴としている。
この特徴によれば、被作用部から遠い第１端部の近傍の所定部と接触部との接触による衝撃が吸収されることによって、可動体が所定位置まで移動したときに第２端部を適正位置に停止させることができる。
【０００８】
本発明の手段２の遊技機は、手段１に記載の遊技機であって、
前記可動体における前記第２端部側は、スライドレール構造によって移動が案内される（例えば、下部案内部材５２２Ｌ，５２２Ｒは、ベース部材７００の下部に前面側から取付けられるスライドレール構造である。図１８〜図２０、図２２参照）
ことを特徴としている。
この特徴によれば、第２端部の動作時におけるがたつきを小さくできる。
【０００９】
本発明の手段３の遊技機は、手段１または２に記載の遊技機であって、
前記可動体は、前記所定位置と特定位置（例えば、第３可動体５００Ｌ，５００Ｒの演出位置）との間で移動可能であり、
前記可動体が前記特定位置に移動したときに該可動体に接触して移動を規制する特定接触部（例えば、特定移動規制部５３０Ｌは、第３可動体５００Ｌが待機位置にあるときに、該第３可動体５００Ｌの突起部５５０（特定部）に接触して左側への移動を規制している。）と、
を備え、
前記特定接触部と前記可動体のうち少なくとも一方は、該特定接触部と該可動体との接触による衝撃を吸収可能である（例えば、演出位置から待機位置に移動するときには、特定移動規制部５３０Ｌ，５３０Ｒと突起部５５０との接触による衝撃が吸収されながら移動規制されるようになっている。図１８、図２０、図２１参照）
ことを特徴としている。
この特徴によれば、可動体が所定位置及び特定位置の双方で緩衝されるため、可動体の所定位置と特定位置との間での往復移動を素早く行うことができる。
【００１０】
本発明の手段４の遊技機は、手段３に記載の遊技機であって、
前記特定接触部は、前記可動体における前記接触部との接触位置よりも前記第１端部側または前記第２端部側に接触可能である（例えば、第３可動体５００Ｌ，５００Ｒが、移動規制部５４０Ｌ，５４０Ｒ及び特定移動規制部５３０Ｌ，５３０Ｒに対し高さの異なる所定部５６０及び突起部５５０で接触する。図１８、図２０、図２１参照）
ことを特徴としている。
この特徴によれば、可動体の１個所に衝撃の負荷が集中することを回避できるため、部材の破損を防止できる。
【００１１】
尚、本発明は、本発明の請求項に記載された発明特定事項のみを有するものであっても良いし、本発明の請求項に記載された発明特定事項とともに該発明特定事項以外の構成を有するものであっても良い。
【図面の簡単な説明】
【００１２】
【図１】パチンコ遊技機を正面から見た正面図である。
【図２】主基板における回路構成の一例を示すブロック図である。
【図３】可動体ユニットの構成を正面から見た分解斜視図である。
【図４】演出状態の第１可動体装置及び第２可動体装置を斜め前から見た状態を示す斜視図である。
【図５】演出状態の第１可動体装置及び第２可動体装置を斜め後ろから見た状態を示す斜視図である。
【図６】（Ａ）は第１可動体の待機位置を示す説明図、（Ｂ）は第１可動体の演出位置を示す説明図である。
【図７】第１可動体とアームとの連結構造を示す背面側から見た分解斜視図である。
【図８】（Ａ）は第１可動体とアームとの連結部分を示す背面図、（Ｂ）は（Ａ）のＡ−Ａ断面図である。
【図９】（Ａ）は第１可動体の規制部が無い場合の状態を示す説明図、（Ｂ）は第１可動体の規制部がある場合の状態を示す説明図である。
【図１０】（Ａ）は第２可動体の待機位置を示す説明図、（Ｂ）は第２可動体の演出位置を示す説明図である。
【図１１】（Ａ）はＢ−Ｂ断面図、（Ｂ）はＢ’−Ｂ’断面図である。
【図１２】第２可動体が演出位置において規制手段により前後の移動および傾きが規制された状態を示す説明図である。
【図１３】第２可動体の規制手段が無い場合の状態を示す説明図である。
【図１４】（Ａ）は第２可動体が待機位置にあるときの付勢手段の状態を示す説明図、（Ｂ）は第２可動体が演出位置にあるときの付勢手段の状態を示す説明図である。
【図１５】（Ａ）は本実施の形態における第１可動体の演出状態を示す正面図、（Ｂ）は底面図である。
【図１６】（Ａ）は本実施の形態における第１可動体と第２可動体の演出状態を示す正面図、（Ｂ）はＣ−Ｃ断面図である。
【図１７】（Ａ）は、第１可動体の規制部が無い場合の演出状態を示す底面図、（Ｂ）は第１可動体の規制部と第２可動体の規制手段とが無い場合の演出状態を示す縦断面図である。
【図１８】（Ａ）は第３可動体の待機位置を示す正面図、（Ｂ）は第３可動体の演出位置を示す正面図である。
【図１９】第３可動体の分解斜視図である。
【図２０】（Ａ）は第３可動体と特定緩衝手段との接触を示す説明図、（Ｂ）は第３可動体と緩衝手段との接触を示す説明図である。
【図２１】（Ａ）（Ｂ）は移動規制部と特定移動規制部の構造を示す説明図である。
【図２２】（Ａ）はＤ−Ｄ断面図、（Ｂ）はＥ−Ｅ断面図である。
【図２３】（Ａ）は第４可動体の待機位置を正面から見た斜視図、（Ｂ）は第４可動体の演出位置を正面から見た斜視図である。
【図２４】（Ａ）は第４可動体の黒目部材が下降する前の正面図、（Ｂ）は黒目部材が慣性により下降して最下位置にあるとき正面図である。
【図２５】第４可動体装置を正面から見た分解斜視図である。
【図２６】第４可動体装置を背面から見た分解斜視図である。
【図２７】第４可動体のダンパー、クラッチギヤ、弾性体、及び、ラックの関係を示す図である。
【図２８】駆動機構を正面から見た分解斜視図である。
【図２９】駆動機構を背面から見た分解斜視図である。
【図３０】（Ａ）〜（Ｃ）は駆動機構の動作を説明する背面図である。
【図３１】黒目部材が下方にずれてから元に位置に復帰するときの動作を説明する図である。
【図３２】（Ａ）〜（Ｆ）は可動体演出の流れの一例を示す説明図である。
【図３３】変形例１を示す説明図である。
【図３４】変形例２を示す説明図である。
【図３５】変形例３を示す説明図である。
【図３６】変形例４を示す説明図である。
【発明を実施するための形態】
【００１３】
（パチンコ遊技機１の構成等）
まず、遊技機の一例であるパチンコ遊技機１の全体の構成について説明する。図１は、パチンコ遊技機を正面から見た正面図である。図２は、主基板における回路構成の一例を示すブロック図である。尚、以下において、図１の手前側をパチンコ遊技機１の前方（前面、正面）側、奥側を背面（後方）側とし、パチンコ遊技機１を前面側から見たときの上下左右方向を基準として説明する。尚、本実施の形態におけるパチンコ遊技機１の前面とは、該パチンコ遊技機１にて遊技を行う遊技者と対向する対向面である。
【００１４】
図１は、本実施の形態におけるパチンコ遊技機の正面図であり、主要部材の配置レイアウトを示す。パチンコ遊技機（以下、遊技機と略記する場合がある）１は、大別して、遊技盤面を構成する遊技盤（ゲージ盤）２と、遊技盤２を支持固定する遊技機用枠（台枠）３とから構成されている。遊技盤２には、ガイドレール２ｂによって囲まれた正面視略円形状の遊技領域Ｙが形成されている。この遊技領域Ｙには、遊技媒体としての遊技球が打球発射装置（図示略）から発射されて打ち込まれる。また、遊技機用枠３には、ガラス窓５０ａを有するガラス扉枠５０が左側辺を中心として回動可能に設けられ、該ガラス扉枠５０により遊技領域Ｙを開閉できるようになっており、ガラス扉枠５０を閉鎖したときにガラス窓５０ａを通して遊技領域Ｙを透視できるようになっている。
【００１５】
図１に示すように、遊技盤２は、アクリル樹脂、ポリカーボネート樹脂、メタクリル樹脂等の透光性を有する合成樹脂材にて正面見略四角形状に形成され、前面である遊技盤面に障害釘（図示略）やガイドレール２ｂ等が設けられた盤面板（図示略）と、該盤面板の背面側に一体的に取付けられるスペーサ部材（図示略）と、から主に構成されている。尚、遊技盤２はベニヤ板にて構成されていてもよい。
【００１６】
遊技盤２の所定位置（図１に示す例では、遊技領域Ｙの右側下部位置）には、第１特別図柄表示器４Ａと、第２特別図柄表示器４Ｂとが設けられている。第１特別図柄表示器４Ａと第２特別図柄表示器４Ｂはそれぞれ、例えば７セグメントやドットマトリクスのＬＥＤ（発光ダイオード）等から構成され、変動表示ゲームの一例となる特図ゲームにおいて、各々を識別可能な複数種類の識別情報（特別識別情報）である特別図柄（「特図」ともいう）が、変動可能に表示（変動表示または可変表示ともいう）される。以下では、第１特別図柄表示器４Ａにおいて変動表示される特別図柄を「第１特図」ともいい、第２特別図柄表示器４Ｂにおいて変動表示される特別図柄を「第２特図」ともいう。
【００１７】
遊技盤２における遊技領域Ｙの中央付近には、画像表示装置５（メイン液晶とも言う）が設けられている。画像表示装置５は、例えばＬＣＤ（液晶表示装置）等から構成され、各種の演出画像を表示する表示領域を形成している。画像表示装置５の表示領域では、特図ゲームにおける第１特別図柄表示器４Ａによる第１特図の変動表示や第２特別図柄表示器４Ｂによる第２特図の変動表示のそれぞれに対応して、例えば３つといった複数の変動表示部となる演出図柄表示エリアにて、各々を識別可能な複数種類の識別情報（装飾識別情報）である演出図柄が変動表示される。この演出図柄の変動表示も、変動表示ゲームに含まれる。
【００１８】
このように、画像表示装置５の表示領域では、第１特別図柄表示器４Ａにおける第１特図を用いた特図ゲーム、または、第２特別図柄表示器４Ｂにおける第２特図を用いた特図ゲームと同期して、各々が識別可能な複数種類の演出図柄の変動表示を行い、変動表示結果となる確定演出図柄（最終停止図柄）を導出表示する。
【００１９】
画像表示装置５は、遊技盤２よりも背面側に配設され、該遊技盤２に形成された開口２ｃを通して視認できるようになっている。尚、遊技盤２における開口２ｃには枠状のセンター飾り枠５１が設けられている。遊技盤２の背面と画像表示装置５との間には、第１可動体装置３００、第２可動体装置４００、第３可動体装置５００、第４可動体装置２００から構成される可動体ユニットが設けられている。
【００２０】
画像表示装置５の画面上には、実行が保留されている可変表示に対応する保留表示や、実行中の可変表示に対応するアクティブ表示を表示するための表示エリアが設けられていてもよい。保留表示及びアクティブ表示を総称して可変表示に対応する可変表示対応表示ともいう。
【００２１】
ここで、特図ゲームに対応した変動表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや演出図柄の変動表示といった変動表示ゲームを実行するための始動条件（「実行条件」ともいう）は成立したが、先に成立した開始条件に基づく変動表示ゲームが実行中であることやパチンコ遊技機１が大当り遊技状態に制御されていることなどにより、変動表示ゲームの開始を許容する開始条件が成立していないときに、成立した始動条件に対応する変動表示の保留が行われる。
【００２２】
第１特別図柄表示器４Ａ及び第２特別図柄表示器４Ｂの右方位置には、特図保留記憶数を特定可能に表示するための第１保留表示器２５Ａと第２保留表示器２５Ｂとが設けられている。第１保留表示器２５Ａは、第１特図保留記憶数を特定可能に表示し、第２保留表示器２５Ｂは、第２特図保留記憶数を特定可能に表示する。
【００２３】
画像表示装置５の下方には、普通入賞球装置６Ａが設けられ、画像表示装置５の右側下方には、普通可変入賞球装置６Ｂが設けられている。普通入賞球装置６Ａは、例えば所定の球受部材によって常に一定の開放状態に保たれる始動領域（第１始動領域）としての第１始動入賞口を形成する。普通可変入賞球装置６Ｂは、図２に示す普通電動役物用となるソレノイド８１によって、遊技領域Ｙに突出する突出位置となる閉鎖状態と遊技領域Ｙから退避する退避位置となる開放状態とに変化する可動板を有する普通電動役物を備え、始動領域（第２始動領域）としての第２始動入賞口を形成する。
【００２４】
第１始動入賞口を通過（進入）した遊技球が第１始動口スイッチ２２Ａによって検出されたことに基づき、所定個数（例えば３個）の遊技球が賞球として払い出され、第１特図保留記憶数が所定の上限値（例えば「４」）以下であれば、第１始動条件が成立する。また、第２始動入賞口を通過（進入）した遊技球が第２始動口スイッチ２２Ｂによって検出されたことに基づき、所定個数（例えば３個）の遊技球が賞球として払い出され、第２特図保留記憶数が所定の上限値（例えば「４」）以下であれば、第２始動条件が成立する。
【００２５】
図１に示すように、普通入賞球装置６Ａの右方位置には、特別可変入賞球装置７が設けられている。特別可変入賞球装置７は、図２に示す大入賞口扉用となるソレノイド８２によって開閉駆動される大入賞口扉によって開放状態と閉鎖状態とに変化する特定領域としての大入賞口を形成する。このように、特定領域としての大入賞口は、遊技球が通過（進入）しやすく遊技者にとって有利な開放状態と、遊技球が通過（進入）できない（または通過（進入）しにくい）遊技者にとって不利な閉鎖状態とに変化する。
【００２６】
大入賞口を通過（進入）した遊技球が図２に示すカウントスイッチ２３によって検出されたことに基づき、所定個数（例えば１５個）の遊技球が賞球として払い出される。したがって、特別可変入賞球装置７において大入賞口が開放状態となれば、その大入賞口に遊技球が進入可能となり、遊技者にとって有利な第１の状態となる。その一方で、特別可変入賞球装置７において大入賞口が閉鎖状態となれば、大入賞口に遊技球を通過（進入）させて賞球を得ることが不可能または困難になり、遊技者にとって不利な第２の状態となる。
【００２７】
第２保留表示器２５Ｂの右方位置には、普通図柄表示器２０が設けられている。普通図柄表示器２０の右方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００２８】
遊技盤２の表面には、上記の構成以外にも、遊技球の流下方向や速度を変化させる風車及び多数の障害釘が設けられている。また、遊技領域Ｙの最下方には、いずれの入賞口にも進入しなかった遊技球が取り込まれるアウト口が設けられている。遊技機用枠３の左右上部位置には、効果音等を再生出力するためのスピーカ８Ｌ，８Ｒが設けられており、更に遊技領域Ｙの周辺部には、遊技効果ランプ９が設けられている。遊技機用枠３の右下部位置には、遊技媒体としての遊技球を遊技領域Ｙに向けて発射するために遊技者等によって操作される打球操作ハンドル３０（操作ノブ）が設けられている。
【００２９】
遊技領域Ｙの下方における遊技機用枠３の所定位置には、賞球として払い出された遊技球や所定の球貸機により貸し出された遊技球を、発射装置（図示略）へと供給可能に保持（貯留）する上皿９０（打球供給皿）が設けられている。遊技機用枠３の下部には、上皿９０から溢れた余剰球などを、パチンコ遊技機１の外部へと排出可能に保持（貯留）する下皿が設けられている。下皿を形成する部材に取付けられたスティックコントローラ３１Ａの傾倒操作はコントローラセンサユニット３５Ａにて検出され、上皿９０を形成する部材に設けられたプッシュボタン３１Ｂに対してなされた押下動作はプッシュセンサ３５Ｂにて検出される。
【００３０】
（基板構成）
次に、パチンコ遊技機１の回路構成について説明する。パチンコ遊技機１には、例えば図２に示すような主基板１１、演出制御基板１２、音声制御基板１３、ＬＥＤ制御基板１４、主基板１１と演出制御基板１２との間で伝送される各種の制御信号を中継するための中継基板１５、払出制御基板、情報端子基板、発射制御基板、インタフェース基板などといった、各種の基板が配置されている。
【００３１】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示器４Ａと第２特別図柄表示器４Ｂを構成する各ＬＥＤ（例えばセグメントＬＥＤ）などの点灯／消灯制御を行って第１特図や第２特図の変動表示を制御することや、普通図柄表示器２０の点灯／消灯／発色制御などを行って普通図柄表示器２０による普通図柄の変動表示を制御することといった、所定の表示図柄の変動表示を制御する機能も備えている。また、主基板１１には、例えば遊技制御用マイクロコンピュータ１００や、スイッチ回路１１０、ソレノイド回路１１１などが搭載されている。
【００３２】
図２に示すように、主基板１１には、通過ゲート４１を通過した遊技球を検出するゲートスイッチ２１、第１始動口スイッチ２２Ａ、第２始動口スイッチ２２Ｂ、カウントスイッチ２３からの検出信号を伝送する配線が接続されている。また、第１特別図柄表示器４Ａ、第２特別図柄表示器４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００３３】
主基板１１から演出制御基板１２に向けて伝送される制御信号は、例えば電気信号として送受信される演出制御コマンドである。演出制御コマンドには、例えば、演出図柄の変動時間及びリーチ演出の種類や擬似連の有無等の変動態様を示す変動パターンを示す変動パターン指定コマンド等が含まれている。
【００３４】
主基板１１に搭載された遊技制御用マイクロコンピュータ１００は、例えば１チップのマイクロコンピュータであり、遊技制御用のプログラムや固定データ等を記憶するＲＯＭ１０１（ReadOnlyMemory１０１）と、遊技制御用のワークエリアを提供するＲＡＭ１０２（RandomAccessMemory１０２）と、遊技制御用のプログラムを実行して制御動作を行うＣＰＵ１０３（CentralProcessingUnit１０３）と、ＣＰＵ１０３とは独立して乱数値を示す数値データの更新を行う乱数回路１０４と、Ｉ／Ｏ１０５（Input/Outputport１０５）と、を備えて構成される。一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。
【００３５】
図２に示すように、演出制御基板１２は、主基板１１とは独立したサブ側の制御基板であり、中継基板１５を介して主基板１１から伝送された制御信号を受信して、スピーカ８Ｌ，８Ｒ、遊技効果ランプ９、画像表示装置５、可動体ユニットといった演出用の電気部品による演出動作を制御するための各種回路や、スティックコントローラ３１Ａ、プッシュボタン３１Ｂといった電気部品の動作を検出するための各種回路が搭載されている。
【００３６】
演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、画像表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。一例として、演出制御基板１２では、演出制御用ＣＰＵ１２０がＲＯＭ１２１から読み出した演出制御用のプログラムを実行することにより、演出用の電気部品による演出動作を制御するための処理が実行される。また、ＲＯＭ１２１には、演出制御用のプログラムの他にも、演出動作を制御するために用いられる各種のデータテーブルなどが格納されている。
【００３７】
（遊技の進行の概略）
次に、パチンコ遊技機１における遊技の進行を概略的に説明する。パチンコ遊技機１では、遊技領域Ｙに設けられた通過ゲート４１を遊技球が通過したことに基づいて、普通図柄表示器２０による普図ゲームが開始される。普通図柄の変動を開始させた後、普図変動時間となる所定時間が経過し、普図当り図柄以外の普通図柄が停止表示されれば、普通図柄の変動表示結果が「普図はずれ」となる。特定の普通図柄（普図当り図柄）が停止表示されれば、普通図柄の変動表示結果が「普図当り」となり、普通可変入賞球装置６Ｂの可動板が遊技領域Ｙから退避する開放制御が行われ、所定時間が経過すると遊技領域Ｙに突出する閉鎖位置に戻る通常開放制御が行われる。
【００３８】
遊技球が第１始動入賞口に入賞したことなどにより第１始動条件が成立した後に、例えば前回の特図ゲームや大当り遊技状態が終了したことなどにより第１開始条件が成立したことに基づいて、第１特別図柄表示器４Ａによる特図ゲームが開始される。また、遊技球が第２始動入賞口に入賞したことなどにより第２始動条件が成立した後に、例えば前回の特図ゲームや大当り遊技状態が終了したことなどにより第２開始条件が成立したことに基づいて、第２特別図柄表示器４Ｂによる特図ゲームが開始される。
【００３９】
特図ゲームでは、特別図柄の変動表示を開始させた後、変動表示時間が経過すると確定特別図柄（特図表示結果）を導出表示する。このとき、特定の特別図柄（大当り図柄）が停止表示されれば、特定表示結果としての「大当り」となり、大当り図柄とは異なる特別図柄が停止表示されれば「はずれ」となる。特図ゲームでの変動表示結果が「大当り」になった後には、遊技者にとって有利なラウンド（「ラウンド遊技」ともいう）を所定回数実行する特定遊技状態としての大当り遊技状態に制御される。
【００４０】
大当り遊技状態においては、特別可変入賞球装置７の大入賞口扉が、所定の上限時間（例えば２９秒間や０．１秒間）が経過するまでの期間あるいは所定個数（例えば９個）の入賞球が発生するまでの期間にて、大入賞口を開放状態とする。これにより、特別可変入賞球装置７を遊技者にとって有利な第１の状態（開放状態）とするラウンドが実行される。
【００４１】
ラウンドの実行中に大入賞口を開放状態とした大入賞口扉は、遊技盤２の表面を落下する遊技球を受け止め、その後に大入賞口を閉鎖状態とすることにより、特別可変入賞球装置７を遊技者にとって不利な第２の状態（閉鎖状態）に変化させて、１回のラウンドを終了させる。大入賞口の開放サイクルであるラウンドは、その実行回数が所定の上限回数（例えば「１６」など）に達するまで、繰り返し実行可能となっている。
【００４２】
画像表示装置５の演出図柄表示エリア５Ｌ，５Ｃ，５Ｒでは、特図ゲームが開始されることに対応して、演出図柄の変動表示が開始される。そして、演出図柄の変動表示が開始されてから変動表示が終了するまでの期間では、演出図柄の変動表示状態が所定のリーチ状態となることがある。リーチ状態とは、画像表示装置５の表示領域にて停止表示された演出図柄が大当り組合せの一部を構成しているときに未だ停止表示されていない演出図柄については変動が継続している表示状態、あるいは、全部または一部の演出図柄が大当り組合せの全部または一部を構成しながら同期して変動している表示状態のことである。
【００４３】
特図ゲームにおける確定特別図柄として、複数種類の大当り組合せのうち、所定の通常大当り組合せ（「非確変大当り組合せ」ともいう）となる確定演出図柄が停止表示され、変動表示結果が「非確変大当り」となった場合は大当り状態に制御され、その終了後には、時間短縮制御（時短制御）が行われる。時短制御が行われることにより、特図ゲームにおける特別図柄の変動表示時間（特図変動時間）は、通常状態に比べて短縮される。尚、時短制御では、普通図柄の当選頻度が高められて、普通可変入賞球装置６Ｂへの入賞頻度が高められる、いわゆる電チューサポートが実施される。時短制御は、大当り遊技状態の終了後に所定回数（例えば１００回）の特図ゲームが実行されることと、変動表示結果が「大当り」となることのうち、いずれかの条件が先に成立したときに、終了すればよい。
【００４４】
特図ゲームにおける確定特別図柄として、複数種類の大当り組合せのうち、所定の確変大当り組合せ（「確変大当り組合せ」ともいう）となる確定演出図柄が停止表示され、変動表示結果が「確変大当り」となった場合は大当り状態に制御され、その終了後には、時短制御とともに確率変動制御（確変制御）が行われる。この確変制御が行われることにより、各回の特図ゲームにおいて変動表示結果が「大当り」となる確率は、通常状態に比べて高くなるように向上する。確変制御は、大当り遊技状態の終了後に変動表示結果が「大当り」となって再び大当り遊技状態に制御されるという条件が成立したとき、大当り遊技状態の終了後に所定回数（例えば時短回数と同じ１００回）の特図ゲームが実行されたとき、大当り遊技状態の終了後に特図ゲームが開始されるごとに実行される確変転落抽選にて確変制御を終了させる「確変転落あり」の決定がなされたとき、などに終了すればよい。
【００４５】
時短制御が行われるときには、普図ゲームにおける普通図柄の変動時間（普図変動時間）を通常状態のときよりも短くする制御や、各回の普図ゲームで普通図柄の変動表示結果が「普図当り」となる確率を通常状態のときよりも向上させる制御、変動表示結果が「普図当り」となったことに基づく普通可変入賞球装置６Ｂにおける可動板の移動制御を行う移動制御時間を通常状態のときよりも長くする制御、その移動回数を通常状態のときよりも増加させる制御といった、遊技球が第２始動入賞口を通過（進入）しやすくして第２始動条件が成立する可能性を高めることで遊技者にとって有利となる制御（電チューサポート制御、高開放制御）が行われる。これにより、第２特図を用いた特図ゲームを実行するための第２始動条件が成立しやすくなり、特図ゲームが頻繁に実行可能となることで、次に変動表示結果が「大当り」となるまでの時間が短縮される。
【００４６】
（パチンコ遊技機１の動作）
次に、本実施の形態におけるパチンコ遊技機１の動作（作用）を説明する。主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理において遊技制御用タイマ割込み処理を開始すると、スイッチ処理、メイン側エラー処理、情報出力処理、遊技用乱数更新処理、特別図柄プロセス処理、普通図柄プロセス処理、コマンド制御処理を実行する。
【００４７】
特別図柄プロセス処理では、遊技制御フラグ設定部（図示略）に設けられた特図プロセスフラグの値をパチンコ遊技機１における遊技の進行状況に応じて更新し、第１特別図柄表示器４Ａや第２特別図柄表示器４Ｂにおける表示動作の制御や、特別可変入賞球装置７における大入賞口の開閉動作設定などを、所定の手順で行うために各種の処理が選択されて実行される。
【００４８】
特別図柄プロセス処理において、ＣＰＵ１０３は、まず、第１始動入賞や第２始動入賞があったか否かを判定し、入賞があった場合には、特図表示結果判定用、大当り種別判定用、変動パターン判定用などの乱数値をそれぞれ抽出して、第１特図保留記憶部や第２特図保留記憶部における空きエントリの最上位に格納（記憶）する始動入賞処理を実行する。
【００４９】
また、ＣＰＵ１０３は、第１特図保留記憶部や第２特図保留記憶部に記憶されている保留データの有無などに基づいて特図ゲームを開始するか否かの判定や、特図表示結果判定用の乱数値を示す数値データに基づき、特別図柄や演出図柄の変動表示結果を「大当り」とするか否かを、その変動表示結果が導出表示される前に決定（事前決定）する特別図柄通常処理を実行する。つまり、ＣＰＵ１０３は、特図ゲームの変動表示を開始するときに、始動入賞が発生したときに記憶した乱数値に基づいて、当該変動表示の表示結果として大当り表示結果を導出表示するか否かを決定（抽選）する処理を実行する。
【００５０】
次いで、変動パターンを複数種類のいずれかに決定する変動パターン設定処理、特別図柄を変動させるための設定や特別図柄が変動を開始してからの経過時間を計測する処理を行う特別図柄変動処理、特別図柄の変動を停止させて確定特別図柄を停止表示（導出）させるための設定を行う特別図柄停止処理を行う。また、変動表示結果が「大当り」となった場合は、大当り遊技状態において大入賞口を開閉させる処理を行う大当り開放前処理、大当り開放中処理、大当り開放後処理、大当り終了処理を行う。
【００５１】
次に、演出制御基板１２の動作を説明する。先ず、演出制御用ＣＰＵ１２０は、電源が投入されると、メイン処理の実行を開始する。メイン処理においてタイマ割込が発生すると、コマンド解析処理、演出制御プロセス処理、演出用乱数更新処理を実行する。
【００５２】
演出制御プロセス処理では、画像表示装置５の第１保留記憶表示エリア及び第２保留記憶表示エリアでの保留記憶表示を、保留記憶バッファの記憶内容に応じた表示に更新する保留表示更新処理を実行する。次いで、演出制御プロセスフラグの値に応じて、遊技制御用マイクロコンピュータ１００から変動パターン指定コマンドを受信しているか否か確認する変動パターン指定コマンド受信待ち処理、演出図柄の変動が開始されるように制御する演出図柄変動開始処理、演出図柄変動開始処理にてセットされたプロセスデータに応じて変動パターンを構成する各変動状態（変動速度）の切替タイミング等の制御や変動時間の終了を監視するとともに、画像表示装置５の表示制御、スピーカ８Ｌ，８Ｒからの音出力、遊技効果ランプ９の発光及び第１可動体３００Ｌ，３００Ｒ、第２可動体４００Ｌ，４００Ｒ、第３可動体５００Ｌ，５００Ｒ、目玉ユニット２１０の駆動制御等を行う演出図柄変動中処理、演出図柄の変動を停止し表示結果（停止図柄）を導出表示する制御を行う演出図柄変動停止処理を行う。
【００５３】
大当り表示処理においては、変動時間の終了後、画像表示装置５に大当りの発生を報知するための画面を表示する制御を行う。大当り遊技中処理においては、大当り遊技中の制御を行う。大当り終了演出処理においては、画像表示装置５において、大当り遊技状態が終了したことを遊技者に報知する表示制御を行う。
【００５４】
このように演出制御用ＣＰＵ１２０は、遊技制御用マイクロコンピュータ１００から送信された演出制御コマンド（制御情報）に基づいて、演出図柄の変動表示制御や予告演出といった遊技に関連する各種演出を実行可能とされている。
【００５５】
尚、演出制御用ＣＰＵ１２０が演出図柄の変動表示中において実行する予告演出としては、例えば、大当りの可能性を示唆する大当り予告演出や、リーチになるか否かを示唆するリーチ予告、停止図柄を予告する停止図柄予告、遊技状態が確率変動状態であるか否か（潜伏しているか否か）を予告する潜伏予告といったように、変動表示開始時やリーチ成立時において実行される複数の予告を含む。
【００５６】
本実施の形態では、以下に説明する可動体ユニットによる演出や、可動体ユニット、スピーカ８Ｌ，８Ｒ、及び遊技効果ランプ９等による複合演出や、遊技者がスティックコントローラ３１Ａまたはプッシュボタン３１Ｂを操作したことを条件に実行される操作演出といった各種演出が各種予告として実行可能とされている。
【００５７】
（可動体ユニットに関する説明）
次に、図３〜図５に基づいて、可動体ユニットについて説明する。図３は、可動体ユニットの構成を正面から見た分解斜視図である。図４は、演出状態の第１可動体装置及び第２可動体装置を斜め前から見た状態を示す斜視図である。図５は、演出状態の第１可動体装置及び第２可動体装置を斜め後ろから見た状態を示す斜視図である。
【００５８】
図３に示されるように、可動体ユニットは、第１可動体装置３００と、第２可動体装置４００と、第３可動体装置５００と、第４可動体装置２００と、ベース部材７００と、から主に構成されている。具体的には、可動体ユニットの前面側の上部には、第１可動体装置３００が配置され、可動体ユニットの前面側の下部には、第２可動体装置４００が配置され、これら第１可動体装置３００と第２可動体装置４００とは、フレーム部材７０１Ｌ，７０１Ｒにより上下に間隔を空けて連結されユニット化されている。ユニット化された第１可動体装置３００及び第２可動体装置４００の背面側には、第４可動体装置２００が固定されている。また、正面視矩形状のベース部材７００の前面には、第３可動体装置５００が固定されており、その前面側から一体化された第１可動体装置３００、第２可動体装置４００、及び第４可動体装置２００が固定されている。
【００５９】
第１可動体装置３００は、後述する第１可動体３００Ｌ，３００Ｒを備え、第２可動体装置４００は、後述する第２可動体４００Ｌ，４００Ｒを備え、第３可動体装置５００は、後述する第３可動体５００Ｌ，５００Ｒを備え、第４可動体装置２００は、後述する目玉ユニット２１０（第４可動体）を備えている。可動体ユニットの演出状態にあっては、第１可動体３００Ｌ，３００Ｒと第２可動体４００Ｌ，４００Ｒとにより正面視リング状の演出部を構成し（図３及び図４参照）、目玉ユニット２１０が該リング状の部材の背面側中央部に位置し、第３可動体５００Ｌ，５００Ｒが目玉ユニット２１０の側方に配置され、各可動体により一の演出構造を構成するようになっている。
【００６０】
（第１可動体装置３００）
次に、図４から図９に基づいて第１可動体装置３００を説明する。図６は、（Ａ）は第１可動体の待機位置を示す説明図、（Ｂ）は第１可動体の演出位置を示す説明図である。図７は、第１可動体とアームとの連結構造を示す背面側から見た分解斜視図である。図８は、（Ａ）は第１可動体とアームとの連結部分を示す背面図、（Ｂ）は（Ａ）のＡ−Ａ断面図である。図９は、（Ａ）は第１可動体の規制部が無い場合の状態を示す説明図、（Ｂ）は第１可動体の規制部がある場合の状態を示す説明図である。
【００６１】
図４〜図６に示すように、第１可動体装置３００は、ベース部材３０１（ベース体）と、該ベース部材３０１に回動可能に取付けられるアーム３０３Ｌ，３０３Ｒ（所定部材）と、アーム３０３Ｌ，３０３Ｒにより動作可能な第１可動体３００Ｌ，３００Ｒと、第１可動体３００Ｌ，３００Ｒを駆動させるための駆動機構３０２Ｌ，３０２Ｒと、から主に構成されている。
【００６２】
ベース部材３０１は、画像表示装置５と遊技盤２との間の上部に固定的に設置されており、左右両側には、後述するように、第１可動体３００Ｌ，３００Ｒが待機位置にある状態において該第１可動体３００Ｌ，３００Ｒの所定部位３０４ａ，３０４ｂに接触する接触部３０１ａ，３０１ｂが設けられている。
【００６３】
第１可動体３００Ｌ，３００Ｒは、ベース部材３０１から前方側に突出する軸に対して一端が回動可能に取付けられるアーム３０３Ｌ，３０３Ｒの他端に対して回動可能に取付けられる装飾部材である。アーム３０３Ｌ，３０３Ｒには、長手方向に沿って延びる長孔３０３ａ，３０３ｂがそれぞれ形成されている。また、アーム３０３Ｌ，３０３Ｒと第１可動体３００Ｌ，３００Ｒとの間には、ねじりバネ３０６Ｌ，３０６Ｒが配設されており、第１可動体３００Ｌ，３００Ｒは、複数の可動体用ＬＥＤを有する第１装飾ＬＥＤ基板３０５Ｌ，３０５Ｒを有している（図２参照）。
【００６４】
駆動機構３０２Ｌは、ベース部材３０１の前面側に配設される第１演出用モータ３０７Ｌと、ベース部材３０１の背面側に配設される第１演出用モータ３０７Ｌの駆動軸に取付けられる第１ギヤ３０８と、第１ギヤ３０８に噛合する第２ギヤ３０９と、第２ギヤ３０９に噛合する第３ギヤ３１０と、から主に構成されている。第３ギヤ３１０は、ベース部材３０１の背面側に配設されるギヤ部３１０ａと、ギヤ部３１０ａよりも大径でありベース部材３０１の前面側に配設される回動部３１０ｂと、を備えている。回動部３１０ｂの前面側には、前方側に突出する突出軸３１０ｃが形成されており、突出軸３１０ｃは、アーム３０３Ｌの長孔３０３ａ内に挿入されている。よって、第１演出用モータ３０７Ｌを駆動させることにより、第１ギヤ３０８〜第３ギヤ３１０が駆動してアーム３０３Ｌが動作するようになる。尚、第３ギヤ３１０の突出軸３１０ｃがアーム３０３Ｌの長孔３０３ａ内に挿入されることから、第３ギヤ３１０（回動部３１０ｂ）とアーム３０３Ｌとは近接して配置されることとなる。
【００６５】
駆動機構３０２Ｒは、ベース部材３０１の背面側に配設される第１演出用モータ３０７Ｒと、ベース部材３０１の前面側に配設され第１演出用モータ３０７Ｒの駆動軸に取付けられる回動部材３１１と、から主に構成されている。回動部材３１１の前面側には、前方側に突出する突出軸３１１ａが形成されており、突出軸３１１ａは、アーム３０３Ｒの長孔３０３ｂ内に挿入されている。よって、第１演出用モータ３０７Ｒを駆動させることにより回動部材３１１が駆動してアーム３０３Ｒが動作するようになる。尚、回動部材３１１の突出軸３１１ａがアーム３０３Ｒの長孔３０３ｂ内に挿入されることから、回動部材３１１とアーム３０３Ｒとは近接して配置されることとなる。
【００６６】
特に図６に示すように、第１可動体３００Ｌ，３００Ｒは、画像表示装置５の上方側左右位置に退避した待機位置（第１可動体３００Ｌ，３００Ｒの第１位置（図６（Ａ）参照））と、画像表示装置５の上方側中央位置の前面側に重複する演出位置（第１可動体３００Ｌ，３００Ｒの第２位置（図６（Ｂ）参照））と、の間で移動可能とされている。尚、ベース部材３０１には、演出制御基板１２に接続される第１原点位置センサ３７０Ｌ，３７０Ｒ（図２参照）が設けられており、第１可動体３００Ｌ，３００Ｒが待機位置（原点位置）にあることを検知することができるようになっている。
【００６７】
具体的には、待機位置においては、突出軸３１０ｃ及び突出軸３１１ａがその回動範囲における頂上近傍（突出軸３１０ｃは頂上よりも左側、突出軸３１１ａは頂上よりも右側）に配置されており、第１可動体３００Ｌ，３００Ｒが離間するようにアーム３０３Ｌ，３０３Ｒが上方側に持ち上げられている。このとき、第１可動体３００Ｌ，３００Ｒの所定部位３０４ａ，３０４ｂには、ベース部材３０１の接触部３０１ａ，３０１ｂに接触し、且つアーム３０３Ｌ，３０３Ｒと第１可動体３００Ｌ，３００Ｒとの接続部分は、接触部３０１ａ，３０１ｂよりも上方に配置されているため（図７参照）、ねじりバネ３０６Ｌ，３０６Ｒが圧縮されてアーム３０３Ｌ，３０３Ｒに対して折り畳まれている（図６（Ａ）の拡大部参照）。
【００６８】
また、演出位置においては、第３ギヤ３１０が待機位置から反時計回りに回動し突出軸３１０ｃがその回動範囲における右側に配置されるとともに、回動部材３１１が待機位置から時計回りに回動し突出軸３１１ａがその回動範囲における左側に配置され、これによりアーム３０３Ｌ，３０３Ｒが第１可動体３００Ｌ，３００Ｒを近接させるように配置される。また、演出位置においては、第１可動体３００Ｌ，３００Ｒがアーム３０３Ｌ，３０３Ｒに対して展開した状態となり、左右方向に連設されるように合体して一の演出部を形成する。尚、待機位置から演出位置に移動する際には、第１可動体３００Ｌ，３００Ｒの所定部位３０４ａ，３０４ｂが接触部３０１ａ，３０１ｂから離間することでねじりバネ３０６Ｌ，３０６Ｒが弾性復元してアーム３０３Ｌ，３０３Ｒと第１可動体３００Ｌ，３００Ｒとが展開した状態となる（図６（Ｂ）の拡大部参照）。
【００６９】
次に、第１可動体３００Ｒとアーム３０３Ｒとの連結構造について説明する。尚、第１可動体３００Ｌとアーム３０３Ｌとの連結構造は、第１可動体３００Ｒとアーム３０３Ｒとの連結構造と略同一構成であるため、第１可動体３００Ｌとアーム３０３Ｌとの連結構造の説明を省略する。さらに尚、図７〜図９においては、第１可動体３００Ｒが演出位置にあるときの状態を示している。
【００７０】
図７及び図８に示すように、第１可動体３００Ｒの外縁の一部には、外側に張り出す張出部３２０が形成されており、張出部３２０には、背面側に突出する軸部３２１と、軸部３２１の外径側を囲うように背面側に突出する外壁部３２２と、が形成されており、軸部３２１と外壁部３２２との間には環状の空間Ｓ１が形成されている。尚、軸部３２１には、背面側から該軸部３２１の軸方向に沿ってネジ孔３２１ａが形成されている。
【００７１】
また、アーム３０３Ｒの他端側には、軸部３２１を挿入可能な筒形状の軸受部３２３が前方側に突出して形成されており、軸受部３２３の背面側には、軸受部３２３よりも大径であり背面側に開口する凹部３２４が形成されている。この凹部３２４は、軸受部３２３の一部を構成している。また、凹部３２４は、その内面の周方向の１個所に前後方向に延びる突条の規制部３２４ａが形成されている（特に図７拡大部参照）。
【００７２】
第１可動体３００Ｒとアーム３０３Ｒとの連結手順を具体的に説明すると、先ず、軸部３２１に対し、第１スペーサ部材３２５を装着するとともに、ねじりバネ３０６Ｒと軸受部３２３を挿入する。このとき、第１スペーサ部材３２５は、軸受部３２３の内側に挿入され、ねじりバネ３０６Ｒは、軸受部３２３の外側に遊挿される。また、これら第１スペーサ部材３２５、ねじりバネ３０６Ｒ、及び軸受部３２３は、張出部３２０における環状の空間Ｓ１内に収納される。
【００７３】
次いで、第２スペーサ部材３２６を軸部３２１と軸受部３２３との隙間に背面側から挿入するとともに、軸部３２１の端部に背面側からキャップ３２７を被せた状態でネジＮ１により固定し、各種部材の前後方向に抜け止めを行う。第１可動体３００Ｒが演出位置にあるときには、凹部３２４の下部に規制部３２４ａが配置されており、該規制部３２４ａに第２スペーサ部材３２６のフランジ部３２６ａ（第２スペーサ部材３２６における軸部３２１と軸受部３２３との隙間に挿入される部分の後端から外径方向に延出する環状の部分）が当接している。
【００７４】
特に図８（Ｂ）に示すように、第１スペーサ部材３２５及び第２スペーサ部材３２６は、軸部３２１に対し外嵌されており、軸受部３２３に対して遊びを持った状態で挿通されている。すなわち、軸部３２１に外嵌された第１スペーサ部材３２５及び第２スペーサ部材３２６の外周面と、軸受部３２３の内周面との間の上部には、隙間Ｓ２が形成されており、該隙間Ｓ２により第１可動体３００Ｒとアーム３０３Ｒとの接触面積が小さくなり相対的な回動をスムーズに行うことができるようになっている。
【００７５】
このように、軸部３２１（第１スペーサ部材３２５及び第２スペーサ部材３２６を含む）と軸受部３２３との間に隙間Ｓ２を設け、第１可動体３００Ｒとアーム３０３Ｒとの回動をスムーズに行うようにすることは従来から行われていたが、隙間Ｓ２により軸部３２１の軸心に対し軸受部３２３の軸心が傾くことがあり、適正位置よりも第１可動体３００Ｒが傾くことがあった。例えば、図９（Ａ）のように、ベース部材３０１に対するアーム３０３Ｒの回動時、またはアーム３０３Ｒに対する第１可動体３００Ｒの回動時の勢いにより第１可動体３００Ｒの下端が前方側に移動するような傾きが生じ、ねじりバネ３０６Ｒの付勢力により、第１可動体３００Ｒの下端が前方側に移動して該第１可動体３００Ｒが傾いた状態が保持されることがあった。
【００７６】
本実施の形態にあっては、アーム３０３Ｒの凹部３２４に規制部３２４ａが形成されており、第１可動体３００Ｒが演出位置にあるときにおいて、規制部３２４ａが凹部３２４の下部に配置され、該規制部３２４ａに第２スペーサ部材３２６のフランジ部３２６ａが当接しているため、前述のように、第１可動体３００Ｒに該第１可動体３００Ｒの下端が前方側に移動するような力が作用しても、規制部３２４ａにより第１可動体３００Ｒの傾きが規制され、第１可動体３００Ｒを適正位置に配置することができる。
【００７７】
また、規制部３２４ａは、凹部３２４の内周面における周方向の１個所に形成されているため、第１可動体３００Ｒとアーム３０３Ｒとの接触面積が小さくなり相対的な回動をスムーズに行うことができるようになっている。
【００７８】
また、規制部３２４ａは、前後方向に延びる突条に形成されているので、第２スペーサ部材３２６のフランジ部３２６ａが振動などで前後にずれたとしても、軸部３２１と軸受部３２３との間が規制部３２４ａにより埋められた状態を維持できる。
【００７９】
また、規制部３２４ａは、第１可動体３００Ｌ，３００Ｒが演出位置にあるときには、凹部３２４の下部に配置されるので、特に第１可動体３００Ｌ，３００Ｒの下端が前方側に移動するような該第１可動体３００Ｌ，３００Ｒの傾きを好適に規制できる。
【００８０】
尚、本実施の形態では、第１可動体３００Ｒに軸部３２１が設けられ、アーム３０３Ｒに軸受部３２３が設けられる形態を例示したが、本発明はこれに限定されるものではなく、例えば、第１可動体３００Ｒに軸受部３２３が設けられ、アーム３０３Ｒに軸部３２１が設けられていてもよい。
【００８１】
（第２可動体装置４００）
次に、図４、図５、及び図１０〜図１４に基づいて第２可動体装置４００を説明する。図１０は、（Ａ）は第２可動体の待機位置を示す説明図、（Ｂ）は第２可動体の演出位置を示す説明図である。図１１は、（Ａ）はＢ−Ｂ断面図、（Ｂ）はＢ’−Ｂ’断面図である。図１２は、第２可動体が演出位置において規制手段により前後の移動および傾きが規制された状態を示す説明図である。図１３は、第２可動体の規制手段が無い場合の状態を示す説明図である。図１４は、（Ａ）は第２可動体が待機位置にあるときの付勢手段の状態を示す説明図、（Ｂ）は第２可動体が演出位置にあるときの付勢手段の状態を示す説明図である。尚、図１２，図１３は、説明の便宜上、案内孔部の形状や第２可動体の傾きを実際よりも強調して図示している。
【００８２】
図４、図５、及び図１０に示すように、第２可動体装置４００は、左右に配置されるベース部材４０１Ｌ，４０１Ｒ（所定部材）と、該ベース部材４０１Ｌ，４０１Ｒに回動可能に取付けられる第１アーム４０３Ｌ，４０３Ｒと、該第１アーム４０３Ｌ，４０３Ｒに回動可能に取付けられる第２アーム４０４Ｌ，４０４Ｒと、第１アーム４０３Ｌ，４０３Ｒ及び第２アーム４０４Ｌ，４０４Ｒにより動作可能な第２可動体４００Ｌ，４００Ｒと、第２可動体４００Ｌ，４００Ｒを駆動させるための駆動機構４０２Ｌ，４０２Ｒと、第２可動体４００Ｌ，４００Ｒを演出位置に付勢する付勢手段としてのねじりバネ４０６Ｌ，４０６Ｒと、から主に構成されている。駆動機構４０２Ｌ，４０２Ｒは、第２演出用モータ４０７Ｌ，４０７Ｒを有している(図２参照)。尚、左側の構成（ベース部材４０１Ｌ、第１アーム４０３Ｌ、第２アーム４０４Ｌ、第２可動体４００Ｌ、駆動機構４０２Ｌ、ねじりバネ４０６Ｌ）と、右側の構成（ベース部材４０１Ｒ、第１アーム４０３Ｒ、第２アーム４０４Ｒ、第２可動体４００Ｒ、駆動機構４０２Ｒ、ねじりバネ４０６Ｒ）は、ほぼ同一構成であるため、以下、左側の構成についてのみ説明する。
【００８３】
ベース部材４０１Ｌは、画像表示装置５と遊技盤２との間の下部に固定的に設置されており、該ベース部材４０１Ｌの左右両側には、隣接する他方のベース部材４０１Ｒに向かって下方から上方に円弧状に延びる案内孔部４２０，４２１が設けられている。案内孔部４２０は、ベース部材４０１Ｌにおける左側に配設され、案内孔部４２１は、ベース部材４０１Ｌにおける右側に配設されており、案内孔部４２０は、案内孔部４２１よりも長寸となっている。
【００８４】
第２可動体４００Ｌは、一端（下端）がベース部材４０１Ｌの案内孔部４２０，４２１に沿って摺動可能なガイドアーム４１２ａ，４１２ｂの他端（上端）に対して固定されており、ガイドアーム４１２ａ，４１２ｂは、ベース部材４０１Ｌの前面側（一面側）から案内孔部４２０，４２１に取付けられている。案内孔部４２０に沿って摺動可能に取付けられるガイドアーム４１２ａは、案内孔部４２１に沿って摺動可能に取付けられるガイドアーム４１２ｂよりも長寸となっている。ガイドアーム４１２ａの下端には、案内孔部４２０に挿入される被案内軸部４１３ａ，４１３ｂが設けられており、ガイドアーム４１２ｂの下端には、案内孔部４２１に挿入される被案内軸部４１４が設けられている。また、第２可動体４００Ｌは、複数の可動体用ＬＥＤを有する第２装飾ＬＥＤ基板４０５Ｌ，４０５Ｒを有している（図２参照）。
【００８５】
駆動機構４０２Ｌは、ベース部材４０１Ｌの背面側に配設される第２演出用モータ４０７Ｌと、ベース部材４０１Ｌの前面側に配設される第２演出用モータ４０７Ｌの駆動軸に取付けられる第１ギヤ４０８と、第１ギヤ４０８に噛合する第２ギヤ４０９と、第２ギヤ４０９に噛合する第３ギヤ４１０と、から主に構成されている。第３ギヤ４１０は、背面側に配設されるギヤ部４１０ａと、ギヤ部４１０ａよりも前面側に大径に形成される回動部４１０ｂと、を備えている。回動部４１０ｂの前面側には、前方側に突出する突出軸４１０ｃが形成されており、突出軸４１０ｃは、第１アーム４０３Ｌの溝４０３ａ内に挿入されている。よって、第２演出用モータ４０７Ｌを駆動させることにより、第１ギヤ４０８〜第３ギヤ４１０が駆動して第１アーム４０３Ｌが動作し、これに伴い第２アーム４０４Ｌも動作するようになる。尚、第１アーム４０３Ｌとベース部材４０１Ｌとの間には、ねじりバネ４０６Ｌが配設されている。
【００８６】
特に図１０に示すように、第２可動体４００Ｌ，４００Ｒは、画像表示装置５の下方側左右位置に退避した待機位置（第２可動体４００Ｌ，４００Ｒの第１位置（図６（Ａ）参照））と、画像表示装置５の下方側中央位置の前面側に重複する演出位置（第２可動体４００Ｌ，４００Ｒの第２位置（図６（Ｂ）参照））と、の間で移動可能とされている。尚、ベース部材４０１Ｌ，４０１Ｒには、演出制御基板１２に接続される第２原点位置センサ４７０Ｌ，４７０Ｒ（図２参照）が設けられており、第２可動体４００Ｌ，４００Ｒが待機位置（原点位置）にあることを検知することができるようになっている。
【００８７】
具体的には、待機位置においては、各突出軸４１０ｃがその回動範囲における最下点近傍（左側の第３ギヤ４１０における突出軸３１０ｃは最下点よりも右側、右側の第３ギヤ４１０における突出軸３１０ｃは最下点よりも左側）に配置されており、第１アーム４０３Ｌ，４０３Ｒ及び第２アーム４０４Ｌ，４０４Ｒが屈曲し、第２可動体４００Ｌ，４００Ｒが離間して下方側に押し下げられている。
【００８８】
また、演出位置においては、左側の第３ギヤ４１０が待機位置から時計回りに回動し突出軸４１０ｃがその回動範囲における上方右側に配置されるとともに、右側の第３ギヤ４１０が待機位置から反時計回りに回動し突出軸４１０ｃがその回動範囲における上方左側に配置され、これにより第１アーム４０３Ｌ，４０３Ｒ及び第２アーム４０４Ｌ，４０４Ｒが伸長して第２可動体４００Ｌ，４００Ｒを近接させるように配置される。また、演出位置においては、第２可動体４００Ｌ，４００Ｒが左右方向に連設されるように合体して一の演出部を形成する。
【００８９】
次に、案内孔部４２０と被案内軸部４１３ａ，４１３ｂとの関係について説明する。尚、以下、説明の便宜上、下側の被案内軸部４１３ｂを第１被案内軸部４１３ｂとし、上側の被案内軸部４１３ａを第２被案内軸部４１３ａとして説明する。
【００９０】
図１１に示すように、ベース部材４０１Ｌにおける案内孔部４２０の周縁には、該ベース部材４０１Ｌの前面側に突出するリブ４１５と、該ベース部材４０１Ｌの背面側に突出するリブ４１６と、が形成されている。
【００９１】
具体的には、図１２に示すように、案内孔部４２０の前後幅Ｌ１は、上下方向に亘って均一となっているとともに、リブ４１５の突出寸法は、上端側よりも下端側が大きく形成されており、リブ４１６の突出寸法は、下端側よりも上端側が大きく形成されている。すなわち、案内孔部４２０は、該案内孔部４２０の下端側（第１位置側）に設けられた第１案内孔部４２０Ｂと、第１案内孔部４２０Ｂの上端側（第２位置側）に設けられ第１案内孔部４２０Ｂよりも背面側（一面の反対側）にずれて配置される第２案内孔部４２０Ａと、から構成されている。尚、本実施の形態における第１案内孔部４２０Ｂ及び第２案内孔部４２０Ａは、演出位置における第２可動体４００Ｌの移動や傾きを抑える規制手段として機能している。
【００９２】
図１１及び図１２に示すように、第２被案内軸部４１３ａは、リブ４１５の前面側に係止可能な係止部４１７ａと、リブ４１６の背面側に係止可能な係止部４１７ｂと、を有し、第１被案内軸部４１３ｂは、リブ４１５の前面側に係止可能な係止部４１８ａと、リブ４１６の背面側に係止可能な係止部４１８ｂと、を有し、案内孔部４２０に対して前後方向の抜け止めがされている。
【００９３】
具体的には、特に図１２に示すように、係止部４１７ａと係止部４１７ｂとの間隔Ｌ２（係止部４１８ａと係止部４１８ｂとの間隔Ｌ２）は、案内孔部４２０の前後幅Ｌ１（深さ寸法）よりも大きく形成されている（Ｌ１＜Ｌ２）。すなわち、第１被案内軸部４１３ｂ及び第２被案内軸部４１３ａは、案内孔部４２０に対し、前後方向（軸方向）に遊びがある状態で取付けられており、第１被案内軸部４１３ｂ及び第２被案内軸部４１３ａと第１案内孔部４２０Ｂとの接触面積を減らして、第２可動体４００Ｌを待機位置と演出位置との間でスムーズに移動させることができるようになっている。
【００９４】
このように、案内孔部４２０に対し、遊びがある状態（ベース部材４０１Ｌに対し前後方向に移動可能な状態）で第１被案内軸部４１３ｂ及び第２被案内軸部４１３ａを取付け、第２可動体４００Ｌの移動をスムーズに行うようにすることは従来から行われていたが、該遊びにより、第１被案内軸部４１３ｂ及び第２被案内軸部４１３ａが前後方向に移動したり、傾いたりすることがあった。
【００９５】
例えば、図１３に示されるように、第２可動体４００Ｌは、ベース部材４０１Ｌの前面側に配置されている。すなわち、第２可動体４００Ｌは、ベース部材４０１Ｌの前面側に重心Ｇ１が位置しているので、第１被案内軸部４１３ｂを中心として該第２可動体４００Ｌの上端が前方側に倒れるように傾きが生じたり、振動などにより前後に移動したりすることがあり、第２可動体４００Ｌが演出位置に移動したときに該第２可動体４００Ｌを適正位置に配置することができないことがあった。
【００９６】
本実施の形態にあっては、演出位置における第２可動体４００Ｌの重心Ｇ１の位置は、待機位置における第２可動体４００Ｌの重心Ｇ１の位置よりも背面側に重心Ｇ１が傾くようになっているため、第２可動体４００Ｌの上端が前方側に倒れるように傾きが生じたり、振動などにより前後に移動したりすることを抑えることができる。
【００９７】
より詳しくは、第２可動体４００Ｌが待機位置にあるときには、第１被案内軸部４１３ｂと第２被案内軸部４１３ａとが第１案内孔部４２０Ｂに配置されており、第２可動体４００Ｌが演出位置にあるときには、第１被案内軸部４１３ｂが第１案内孔部４２０Ｂに配置され、第２被案内軸部４１３ａが第１案内孔部４２０Ｂよりも背面側にずれて形成される第２案内孔部４２０Ａに配置されるようになっている。
【００９８】
これによれば、第２可動体４００Ｌが演出位置に移動するまでの間の区間は、第１被案内軸部４１３ｂと第２被案内軸部４１３ａとが第１案内孔部４２０Ｂに配置されるため、第１被案内軸部４１３ｂ及び第２被案内軸部４１３ａの前後方向の移動及び傾きが許容されており、第１被案内軸部４１３ｂ及び第２被案内軸部４１３ａと第１案内孔部４２０Ｂとの接触面積を減らしてスムーズに第２可動体４００Ｌを移動させることができるようになっている。また、第２可動体４００Ｌが演出位置に移動したときには、前述のように、第１被案内軸部４１３ｂを中心として該第２可動体４００Ｌの上端が前方側に倒れるように傾きが生じても、第２可動体４００Ｌの移動及び傾くことが可能な遊びが無い、または小さくなっているため、第２可動体４００Ｌの移動や傾きを抑えて、演出位置において第２可動体４００Ｌを適正に配置することができる。
【００９９】
より詳しくは、待機位置では、第１案内孔部４２０Ｂに対する第１被案内軸部４１３ｂ及び第２被案内軸部４１３ａの前後方向の移動及び傾きが許容されているため、第２可動体４００Ｌが前方側に傾いている（図１３参照）。第２可動体４００Ｌが待機位置から演出位置に移動するときには、第１被案内軸部４１３ｂの係止部４１８ａの下端がリブ４１５に沿って摺動し、第２被案内軸部４１３ａの係止部４１７ｂの上端がリブ４１６に沿って摺動する。第２被案内軸部４１３ａの係止部４１７ｂの上端は、リブ４１６における傾斜部４１６ａ（第１案内孔部４２０Ｂと第２案内孔部４２０Ａとの間の区間）に到達すると、傾斜部４１６ａにより漸次後方側にガイドされ、これにより第２可動体４００Ｌの傾きが補正されるようになる。
【０１００】
そして、第２可動体４００Ｌが演出位置に位置したときには、第２被案内軸部４１３ａが第２案内孔部４２０Ａに対応するリブ４１６に上下方向に亘って接触し、第１被案内軸部４１３ｂが第１案内孔部４２０Ｂに対応するリブ４１５に上下方向に亘って接触する。つまり、演出位置における第２可動体４００Ｌの重心Ｇ１の位置は、待機位置における第２可動体４００Ｌの重心Ｇ１の位置よりも背面側に重心Ｇ１が傾くようになるとともに、第２可動体４００Ｌは、第１被案内軸部４１３ｂにより背面側への移動が規制され、第２被案内軸部４１３ａにより前面側への移動が規制される。また、第２可動体４００Ｌが演出位置に位置したときには、第１被案内軸部４１３ｂ及び第２被案内軸部４１３ａにより案内孔部４２０が前後から狭持されるため、第２可動体４００Ｌがベース部材４０１Ｌから前側に離れたり、ベース部材４０１Ｌに対し傾いたりすることが抑えられ、演出位置において第２可動体４００Ｌが適正位置に配置される。
【０１０１】
すなわち、第２可動体４００Ｌは、ベース部材４０１Ｌの前面側に重心Ｇ１が位置するものであり、演出位置まで移動するときに、第２被案内軸部４１３ａが背面側へ重心Ｇ１が傾くように移動する（重心Ｇ１の位置が待機位置にあるときよりも前側に位置しないように移動する）ため、演出位置において第２可動体４００Ｌの重心Ｇ１の位置が待機位置よりも前面側に傾くことを回避できる。
【０１０２】
尚、本実施の形態においては、第１被案内軸部４１３ｂの係止部４１８ａ，４１８ｂ及び第２被案内軸部４１３ａの係止部４１７ａ，４１７ｂがリブ４１５，４１６に接触するようになっているので、係止部４１８ａ，４１８ｂ及び係止部４１７ａ，４１７ｂがベース部材４０１Ｌの裏面に接触する場合に比べて、接触面積を小さくできるので、第２可動体４００Ｌの移動をスムーズに行うことができる。
【０１０３】
さらに尚、ベース部材４０１Ｌは、第２可動体４００Ｌの重量により撓まないような強度を有することが好ましい。例えば、ベース部材４０１Ｌに金属板などの補強材を取付けて補強したり、リブなどを形成して補強するようにしてもよい。また、ベース部材をポリカーボネート等の強度の高い素材で形成してもよい。
【０１０４】
また、図１４に示すように、第１アーム４０３Ｌとベース部材４０１Ｌとの間には、ねじりバネ４０６Ｌが配設されている。具体的には、ねじりバネ４０６Ｌの一端は、ベース部材４０１Ｌに固定されており、ねじりバネ４０６Ｌの他端は、ねじりバネ４０６Ｌに固定されている。
【０１０５】
ねじりバネ４０６Ｌは、第２可動体４００Ｌが待機位置にあるときに該第２可動体４００Ｌを演出位置側に付勢するように圧縮した状態となっており（図１４（Ａ）参照）、第２可動体４００Ｌが演出位置にあるときに前記待機位置にあるときよりも弾性復元されている（図１４（Ｂ）参照）。尚、ねじりバネ４０６Ｌは、第２可動体４００Ｌが演出位置にあるときにおいても第２可動体４００Ｌを演出位置側に付勢している。
【０１０６】
このように、第２可動体４００Ｌは、ねじりバネ４０６Ｌにより常に演出位置側に向けて付勢されているので、前述のように、第２被案内軸部４１３ａの係止部４１７ｂがリブ４１６の傾斜部４１６ａを移動するときにかかる摩擦や、該傾斜部４１６ａを越えて第２案内孔部４２０Ａに対応するリブ４１６を移動するときにかかる摩擦により第２可動体４００Ｌが移動しにくくなっても確実に演出位置まで移動させることができる。また、ねじりバネ４０６Ｌは、第２可動体４００Ｌが演出位置にあるときにおいても、該第２可動体４００Ｌを演出位置側に付勢しているので、第２可動体４００Ｌが演出位置にある状態を維持できる。
【０１０７】
（第１可動体装置３００及び第２可動体装置４００の演出状態）
次に、第１可動体装置３００及び第２可動体装置４００の演出状態について図１５〜図１７に基づいて説明する。図１５は、（Ａ）は本実施の形態における第１可動体の演出状態を示す正面図、（Ｂ）は底面図である。図１６は、（Ａ）は本実施の形態における第１可動体と第２可動体の演出状態を示す正面図、（Ｂ）はＣ−Ｃ断面図である。図１７は、（Ａ）は、第１可動体の規制部が無い場合の演出状態を示す底面図、（Ｂ）は第１可動体の規制部と第２可動体の規制手段とが無い場合の演出状態を示す縦断面図である。尚、図１６においては、第１可動体３００Ｒ及び第２可動体４００Ｒのみ図示している。
【０１０８】
図１５に示すように、第１可動体装置３００の演出状態は、第１可動体３００Ｌ，３００Ｒが演出位置に移動し、左右方向に連設されるように合体して一の演出部を形成した状態である。本実施の形態にあっては、前述のように第１可動体３００Ｌ，３００Ｒとアーム３０３Ｌ，３０３Ｒとの連結部分の隙間（軸部３２１と軸受部３２３との間の隙間Ｓ２）が規制部３２４ａ，３２４ａにより埋められているため、第１可動体３００Ｌ，３００Ｒの傾きが規制され、第１可動体３００Ｌ，３００Ｒを適正位置に配置することができるようになっている。
【０１０９】
これにより、第１可動体装置３００の演出状態において、第１可動体３００Ｌ，３００Ｒの前面３３０Ｌ，３３０Ｒ（演出面）同士を左右方向に面一に揃えることができる。より具体的には、例えば、左右の第１可動体３００Ｌ，３００Ｒのうち、一方（ここでは、第１可動体３００Ｌ）が前方に傾き、第１可動体３００Ｌ，３００Ｒの前面３３０Ｌ，３３０Ｒ同士がずれてしまい、第１可動体３００Ｌ，３００Ｒにより形成される一の演出部の見栄えが悪くなってしまうことを回避することができる（図１７（Ａ）参照）。尚、ここでは、第１可動体３００Ｌに対する第１可動体３００Ｒが特定部材として機能しており、第１可動体３００Ｒに対する第１可動体３００Ｌが特定部材として機能している。
【０１１０】
尚、図示しないが、第２可動体装置４００も同様に、第２可動体４００Ｌ，４００Ｒが演出位置に移動し、左右方向に連設されるように合体して一の演出部を形成した演出状態において、前述したように規制手段（第１案内孔部４２０Ｂ及び第２案内孔部４２０Ａ）により第２可動体４００Ｌ，４００Ｒの前後の移動や傾きが抑えられるため、第２可動体４００Ｌ，４００Ｒを演出位置に適正に配置することができるようになっている。これにより、第２可動体４００Ｌ，４００Ｒの前面４３０Ｌ，４３０Ｒ（演出面（図１６参照））同士を面一に揃えることができる。尚、ここでは、第２可動体４００Ｌに対する第２可動体４００Ｒが特定部材として機能しており、第２可動体４００Ｒに対する第２可動体４００Ｌが特定部材として機能している。
【０１１１】
図１６に示されるように、第１可動体装置３００と第２可動体装置４００とが演出状態のときには、第１可動体３００Ｌ，３００Ｒ及び第２可動体４００Ｌ，４００Ｒがそれぞれの演出位置において適正に配置され、第１可動体３００Ｌ，３００Ｒと第２可動体４００Ｌ，４００Ｒとが正面視リング状の演出部を構成されるため、第１可動体３００Ｌ，３００Ｒの前面３３０Ｌ，３３０Ｒと第２可動体４００Ｌ，４００Ｒの前面４３０Ｌ，４３０Ｒとを面一に揃えることができる。より具体的には、例えば、上下の第１可動体３００Ｌ，３００Ｒ及び第２可動体４００Ｌ，４００Ｒが前方に傾き、第１可動体３００Ｌ，３００Ｒの前面３３０Ｌ，３３０Ｒと第２可動体４００Ｌ，４００Ｒの前面４３０Ｌ，４３０Ｒとがずれて隙間が空いてしまい、第１可動体３００Ｌ，３００Ｒ及び第２可動体４００Ｌ，４００Ｒにより形成される正面視リング状の演出部の見栄えが悪くなってしまうことを回避することができる（図１７（Ｂ）参照）。尚、ここでは、第１可動体３００Ｌ，３００Ｒに対する第２可動体４００Ｌ，４００Ｒが特定部材として機能しており、第２可動体４００Ｌ，４００Ｒに対する第１可動体３００Ｌ，３００Ｒが特定部材として機能している。
【０１１２】
このように、第１可動体装置３００と第２可動体装置４００のように、演出位置において合体して一の演出部を構成する複数の可動体が、各々個別の駆動機構により動作可能とされたものにおいて、遊技機の設計上の問題等により、各駆動機構の構成や構造や取付位置等を共通化できない場合がある。このような場合、製造過程で各可動体をベース部材に組付けて演出位置まで移動させたときに、複数のうち少なくとも一の可動体が適正位置に位置しないことで、合体態様が損なわれてしまうことがある。
【０１１３】
このような場合、各可動体に対応する駆動機構を微調整して合わせる必要があるが、本実施の形態のように、各駆動機構における関節部や移動案内部などの遊び等を利用して位置調整できるようにすることで、駆動機構全体を設計変更し直したりすることなく、一部の部品に変更を加えることで容易に調整することが可能となる。
【０１１４】
（第３可動体装置５００）
次に、図１８〜図２２に基づいて第３可動体装置５００を説明する。図１８は、（Ａ）は第３可動体の待機位置を示す正面図、（Ｂ）は第３可動体の演出位置を示す正面図である。図１９は、第３可動体の分解斜視図である。図２０は、（Ａ）は第３可動体と特定緩衝手段との接触を示す説明図、（Ｂ）は第３可動体と緩衝手段との接触を示す説明図である。図２１は、（Ａ）（Ｂ）は移動規制部と特定移動規制部の構造を示す説明図である。図２２は、（Ａ）はＤ−Ｄ断面図、（Ｂ）はＥ−Ｅ断面図である。
【０１１５】
図１８〜図２２に示すように、第３可動体装置５００は、上下方向に延びる略円筒状の第３可動体５００Ｌ，５００Ｒと、第３可動体５００Ｌ，５００Ｒの上端部５１１Ｌ，５１１Ｒ（第１端部）を案内する上部案内部材５２１Ｌ，５２１Ｒと、第３可動体５００Ｌ，５００Ｒの下端部５１２Ｌ，５１２Ｒ（第２端部）を案内する下部案内部材５２２Ｌ，５２２Ｒと、ベース部材７００に回動可能に取付けられ第３可動体５００Ｌ，５００Ｒを動作させるアーム５０３Ｌ，５０３Ｒと、アーム５０３Ｌ，５０３Ｒを駆動させるための駆動機構５０２Ｌ，５０２Ｒと、後述する特定移動規制部５３０Ｌ，５３０Ｒ（特定接触部）及び移動規制部５４０Ｌ，５４０Ｒ（接触部）と、から主に構成されている。
【０１１６】
第３可動体５００Ｌ，５００Ｒは、正面視縦長の筒状を成す前面部材５１３Ｌ，５１３Ｒと、前面部材５１３Ｌ，５１３Ｒよりも上下寸法が長い正面視縦長の板状部材５１４Ｌ，５１４Ｒと、から構成されており、板状部材５１４Ｌ，５１４Ｒの上端部が第３可動体５００Ｌ，５００Ｒの上端部５１１Ｌ，５１１Ｒとなっており、板状部材５１４Ｌ，５１４Ｒの下端部が第３可動体５００Ｌ，５００Ｒの下端部５１２Ｌ，５１２Ｒとなっている。また、板状部材５１４Ｌ，５１４Ｒには、アーム５０３Ｌ，５０３Ｒの駆動力が作用する軸形状の被作用部５１５Ｌ，５１５Ｒが前面側に突出して設けられている。
【０１１７】
第３可動体５００Ｌ，５００Ｒの上端部５１１Ｌ，５１１Ｒから被作用部５１５Ｌ，５１５Ｒまでの寸法Ｌ４は、第３可動体５００Ｌ，５００Ｒの下端部５１２Ｌ，５１２Ｒから被作用部５１５Ｌ，５１５Ｒまでの寸法Ｌ３よりも大きい（Ｌ３＜Ｌ４）。すなわち、被作用部５１５Ｌ，５１５Ｒは、第３可動体５００Ｌ，５００Ｒの上端部５１１Ｌ，５１１Ｒよりも下端部５１２Ｌ，５１２Ｒに近い位置に形成されている（特に図２０参照）。
【０１１８】
アーム５０３Ｌ，５０３Ｒには、被作用部５１５Ｌ，５１５Ｒが挿通される長孔５０３ａと、駆動機構５０２Ｌ，５０２Ｒと接続される長孔５０３ｂと、がそれぞれ形成されている。また、第３可動体５００Ｌ，５００Ｒは、複数の可動体用ＬＥＤを有する第１装飾ＬＥＤ基板５０５Ｌ，５０５Ｒを有している（図２参照）。
【０１１９】
駆動機構５０２Ｌ，５０２Ｒは、ベース部材３０１の前面に固定される取付部材５１６Ｌ，５１６Ｒの背面に固定される第３演出用モータ５０７Ｌ，５０７Ｒ（図２参照）と、取付部材５１６Ｌ，５１６Ｒを貫通して前面側に配設される第３演出用モータ５０７Ｌ，５０７Ｒの駆動軸に取付けられる第１ギヤ５０８Ｌ，５０８Ｒと、第１ギヤ５０８Ｌ，５０８Ｒに噛合する第２ギヤ５０９Ｌ，５０９Ｒと、から主に構成されている。第２ギヤ５０９Ｌ，５０９Ｒの前面側には、前方側に突出する突出軸５０９ａがそれぞれ形成されており、突出軸５０９ａは、アーム５０３Ｌ，５０３Ｒの長孔５０３ｂ内に挿入されている。よって、第３演出用モータ５０７Ｌ，５０７Ｒを駆動させることにより、第１ギヤ５０８Ｌ，５０８Ｒ及び第２ギヤ５０９Ｌ，５０９Ｒが駆動してアーム５０３Ｌ，５０３Ｒが動作するようになり、アーム５０３Ｌ，５０３Ｒの動作が被作用部５１５Ｌ，５１５Ｒを介して第３可動体５００Ｌ，５００Ｒに伝わり、該第３可動体５００Ｌ，５００Ｒが移動するようになっている。
【０１２０】
詳しくは、第３可動体５００Ｌ，５００Ｒは、画像表示装置５の左右位置に退避した待機位置（特定位置（図１８（Ａ）、図２０（Ａ）、図２１（Ａ）参照））と、画像表示装置５の中央位置の前面側に重複する演出位置（所定位置（図１８（Ｂ）、図２０（Ｂ）、図２１（Ｂ）参照））と、の間で該第３可動体５００Ｌ，５００Ｒの姿勢を保ったまま左右方向に移動可能とされている。尚、ベース部材７００には、演出制御基板１２に接続される第３原点位置センサ５７０Ｌ，５７０Ｒ（図２参照）が設けられており、第３可動体５００Ｌ，５００Ｒが待機位置（原点位置）にあることを検知することができるようになっている。
【０１２１】
具体的には、待機位置においては、第２ギヤ５０９Ｌの突出軸５０９ａがその回動範囲における左側に配置され、第２ギヤ５０９Ｒの突出軸５０９ａがその回動範囲における右側に配置されており、第３可動体５００Ｌ，５００Ｒが離間するようにアーム５０３Ｌ，５０３Ｒが配置される。また、演出位置においては、第２ギヤ５０９Ｌの突出軸５０９ａがその回動範囲における右側に配置されており、第２ギヤ５０９Ｒの突出軸５０９ａがその回動範囲における左側に配置されており、第３可動体５００Ｌ，５００Ｒが近接するようにアーム５０３Ｌ，５０３Ｒが配置される。
【０１２２】
上部案内部材５２１Ｌ，５２１Ｒは、ベース部材７００の上部に前面側から取付けられる左右方向に延びる部材であり、第３可動体５００Ｌ，５００Ｒの上端部５１１Ｌ，５１１Ｒは、上部案内部材５２１Ｌ，５２１Ｒとベース部材７００により前後方向から遊びを持った状態で挟み込まれている（特に図２２（Ａ）参照）。これにより、第３可動体５００Ｌ，５００Ｒの上端部５１１Ｌ，５１１Ｒは、前後方向の移動が規制され、左右方向の移動が案内されている。すなわち、上部案内部材５２１Ｌ，５２１Ｒとベース部材７００とは、第３可動体５００Ｌ，５００Ｒの上端部５１１Ｌ，５１１Ｒを案内する上部案内部を構成している。
【０１２３】
下部案内部材５２２Ｌ，５２２Ｒは、ベース部材７００の下部に前面側から取付けられるスライドレール構造であり、左右方向に延びるレール部材５２３と、レール部材５２３に沿って走行可能に取付けられる走行部材５２４と、から構成されている。走行部材５２４は、レール部材５２３内に内嵌されており、レール部材５２３の上下端部と該走行部材５２４の上下端部との間に回動自在に配設される複数のベアリング５２５を有している（特に図２２（Ｂ）参照）。これにより、走行部材５２４は、レール部材５２３に沿ってスムーズに走行可能となっている。第３可動体５００Ｌ，５００Ｒの下端部５１２Ｌ，５１２Ｒは、走行部材５２４に対し前面側から図示しないネジなどで固定されており、これにより前後方向の移動が規制され、左右方向の移動が案内されている。尚、走行部材５２４は、レール部材５２３の左右両端に形成された側片部（図示略）によりそれ以上の左右方向への移動が規制されている。
【０１２４】
特定移動規制部５３０Ｌ，５３０Ｒ及び移動規制部５４０Ｌ，５４０Ｒについて図２１に基づいて説明する。尚、特定移動規制部５３０Ｌ，５３０Ｒは同一構成であるため、特定移動規制部５３０Ｌのみ説明し、移動規制部５４０Ｌ，５４０Ｒは同一構成であるため、移動規制部５４０Ｌのみ説明する。
【０１２５】
図２１に示すように、特定移動規制部５３０Ｌは、第３可動体５００Ｌの待機位置に設けられており、ベース部材７００の上部左側に前方側に突出して形成される正面視コ字状の突出部５３２と、突出部５３２に保持されるゴムや合成樹脂製の緩衝部材５３１（緩衝手段）と、から構成されている。突出部５３２は、右側（第３可動体５００Ｌ側）に向けて開口しており、緩衝部材５３１の右面は、該開口を介して右側（第３可動体５００Ｌ側）に開放されている。
【０１２６】
特定移動規制部５３０Ｌは、第３可動体５００Ｌが待機位置にあるときに、該第３可動体５００Ｌの突起部５５０（特定部）に接触して左側への移動を規制している。突起部５５０は、第３可動体５００Ｌの上端部５１１Ｌ側の部位から左側に突出するように形成されている。具体的には、第３可動体５００Ｌが演出位置から待機位置に移動するときに、突出部５３２が左側への移動を規制するようになっており、第３可動体５００Ｌの突起部５５０は緩衝部材５３１に直接的に接触するため、突出部５３２により第３可動体５００Ｌの左側への移動が規制されるときの衝撃を吸収することができる。
【０１２７】
尚、緩衝部材５３１に直接的に接触する部位は、緩衝部材５３１に接触可能であれば突起部５５０に限られず、例えば、緩衝部材５３１が突出部５３２から第３可動体５００Ｌ側に張り出している場合には、第３可動体５００Ｌの上端部５１１Ｌ側の側面であってもよい。
【０１２８】
移動規制部５４０Ｌは、第３可動体５００Ｌの演出位置に設けられており、ベース部材７００の上部中央側（上部案内部材５２１Ｌの右端側）に前方側に突出して形成される正面視コ字状の突出部５４２と、突出部５４２に保持されるゴムや合成樹脂製の緩衝部材５４１と、から構成されている。突出部５４２は、左側（第３可動体５００Ｌ側）に向けて開口しており、緩衝部材５４１の左面は、該開口を介して左側（第３可動体５００Ｌ側）に開放されている。尚、移動規制部５４０Ｌは、特定移動規制部５３０Ｌよりも高い位置に配設されている。
【０１２９】
移動規制部５４０Ｌは、第３可動体５００Ｌが演出位置にあるときに、該第３可動体５００Ｌの上端部５１１Ｌ近傍に設けられた所定部５６０に接触して右側への移動を規制している。所定部５６０は、第３可動体５００Ｌの上端部５１１Ｌ近傍の側面である。すなわち、所定部５６０は、第３可動体５００Ｌにおいて突起部５５０よりも高い位置に配設されている。具体的には、第３可動体５００Ｌが待機位置から演出位置に移動するときに、突出部５４２が右側への移動を規制するようになっており、第３可動体５００Ｌの所定部５６０は緩衝部材５４１に直接的に接触するため、突出部５４２により第３可動体５００Ｌの右側への移動が規制されるときの衝撃を吸収することができる。
【０１３０】
尚、緩衝部材５４１に直接的に接触する部位は、緩衝部材５４１に接触可能であれば所定部５６０（第３可動体５００Ｌの上端部５１１Ｌ側の側面）に限られず、例えば、第３可動体５００Ｌの上端部５１１Ｌ側の部位から右側に突出するように形成されていてもよいし、上端部５１１Ｌのやや下方位置でもよい。
【０１３１】
このように、特定移動規制部５３０Ｌ，５３０Ｒと移動規制部５４０Ｌ，５４０Ｒとを第３可動体５００Ｌ，５００Ｒの上端部５１１Ｌ，５１１Ｒ側に設けたので、第３可動体５００Ｌ，５００Ｒを待機位置及び演出位置に適正に停止させることができるようになっている。
【０１３２】
具体的には、前述のように、駆動機構５０２Ｌ，５０２Ｒ及びアーム５０３Ｌ，５０３Ｒの動力が作用する被作用部５１５Ｌ，５１５Ｒは、第３可動体５００Ｌ，５００Ｒの上端部５１１Ｌ，５１１Ｒよりも下端部５１２Ｌ，５１２Ｒに近い位置（上下方向の中央位置よりも下方位置）に形成されているので、第３可動体５００Ｌ，５００Ｒが待機位置と演出位置との間を移動する際には、第３可動体５００Ｌ，５００Ｒの下端部５１２Ｌ，５１２Ｒ（被作用部５１５Ｌ，５１５Ｒから近い端部）よりも上端部５１１Ｌ，５１１Ｒ（被作用部５１５Ｌ，５１５Ｒから遠い端部）がやや遅れて移動することがある。
【０１３３】
このため、第３可動体５００Ｌ，５００Ｒの上端部５１１Ｌ，５１１Ｒが待機位置または演出位置に停止したときにその適正位置よりも手前で停止することがあった。また、第３可動体５００Ｌ，５００Ｒの上端部５１１Ｌ，５１１Ｒを適正位置に移動するように勢いをつけて移動させると適正位置よりも移動し過ぎる虞があった。そのため、第３可動体５００Ｌ，５００Ｒの上端部５１１Ｌ，５１１Ｒが下端部５１２Ｌ，５１２Ｒよりも遅れて移動しないように低速で移動させることが考えられるが、第３可動体５００Ｌ，５００Ｒによる演出が間延びしてしまい、演出効果が低下してしまうという問題があった。
【０１３４】
また、第３可動体５００Ｌ，５００Ｒを下端部５１２Ｌ，５１２Ｒ側で所定の移動規制部等で停止させると、第３可動体５００Ｌ，５００Ｒの上端部５１１Ｌ，５１１Ｒが適正位置まで到達しない虞があった。そこで、上端部５１１Ｌ，５１１Ｒを適正位置まで移動させるために第３可動体５００Ｌ，５００Ｒを勢いをつけて移動させると適正位置よりも移動し過ぎてしまうため、移動規制部で移動を規制する必要があるが、接触時の衝撃により跳ね返ってしまうことで、適正位置に停止させることができない。
【０１３５】
本実施の形態においては、第３可動体５００Ｌ，５００Ｒが待機位置から演出位置に移動するときには、移動規制部５４０Ｌ，５４０Ｒと所定部５６０との接触による衝撃が吸収されながら移動規制されるとともに、演出位置から待機位置に移動するときには、特定移動規制部５３０Ｌ，５３０Ｒと突起部５５０との接触による衝撃が吸収されながら移動規制されるようになっている。すなわち、被作用部５１５Ｌ，５１５Ｒから遠い第３可動体５００Ｌ，５００Ｒの上端部５１１Ｌ，５１１Ｒ側に移動規制部５４０Ｌ，５４０Ｒ及び特定移動規制部５３０Ｌ，５３０Ｒを設けることにより、第３可動体５００Ｌ，５００Ｒが適正位置に停止される。
【０１３６】
また、第３可動体５００Ｌ，５００Ｒの所定部５６０及び突起部５５０は、緩衝部材５４１及び緩衝部材５３１に直接的に接触するため、接触による衝撃を吸収して第３可動体５００Ｌ，５００Ｒの上端部５１１Ｌ，５１１Ｒを適正位置に停止させることができる。つまり、第３可動体５００Ｌ，５００Ｒを待機位置と演出位置との間で高速に移動させることができるため、第３可動体５００Ｌ，５００Ｒを用いた演出の演出効果が向上する。また、例えば、所定部５６０及び突起部５５０が、突出部５４２及び突出部５３２に直接接触して、その衝撃により第３可動体５００Ｌ，５００Ｒの上端部５１１Ｌ，５１１Ｒが跳ね返り、適正位置に停止できないといったことを回避できる。
【０１３７】
また、緩衝部材５４１及び緩衝部材５３１により第３可動体５００Ｌ，５００Ｒの停止時の衝撃が吸収されるため、第３可動体５００Ｌ，５００Ｒの破損を防止できる。詳しくは、移動規制部５４０Ｌ，５４０Ｒは、特定移動規制部５３０Ｌ，５３０Ｒよりも高い位置に配設されており、所定部５６０は、第３可動体５００Ｌ，５００Ｒにおいて突起部５５０よりも高い位置に配設されている。これによれば、第３可動体５００Ｌ，５００Ｒが、移動規制部５４０Ｌ，５４０Ｒ及び特定移動規制部５３０Ｌ，５３０Ｒに対し高さの異なる所定部５６０及び突起部５５０で接触するため、第３可動体５００Ｌ，５００Ｒの１個所に衝撃時の負荷が集中して、第３可動体５００Ｌ，５００Ｒ（板状部材５１４Ｌ，５１４Ｒ）が破損することを防止できる。
【０１３８】
尚、本実施の形態では、移動規制部５４０Ｌ，５４０Ｒ及び特定移動規制部５３０Ｌ，５３０Ｒに緩衝部材５４１及び緩衝部材５３１が取付けられる形態を例示したが、本発明はこれに限られず、例えば、所定部５６０及び突起部５５０側に緩衝部材が取付けられていてもよい。また、緩衝部材５４１及び緩衝部材５３１は、ゴムや合成樹脂製に限られず、衝撃を吸収可能な部材（例えば、バネ等）であってもよいが、第３可動体５００Ｌ，５００Ｒの移動を反発させずに停止させるものが好ましい。
【０１３９】
（第４可動体装置２００）
次に、第４可動体装置２００について図２３〜図３１に基づいて説明する。図２３は、（Ａ）は第４可動体の待機位置を正面から見た斜視図、（Ｂ）は第４可動体の演出位置を正面から見た斜視図である。図２４は、（Ａ）は第４可動体の黒目部材が下降する前の正面図、（Ｂ）は黒目部材が慣性により下降して最下位置にあるとき正面図である。図２５は、第４可動体装置を正面から見た分解斜視図である。図２６は、第４可動体装置を背面から見た分解斜視図である。図２７は、第４可動体のダンパー、クラッチギヤ、弾性体、及び、ラックの関係を示す図である。図２８は、駆動機構を正面から見た分解斜視図である。図２９は、駆動機構を背面から見た分解斜視図である。図３０は、（Ａ）〜（Ｃ）は駆動機構の動作を説明する背面図である。図３１は、黒目部材が下方にずれてから元に位置に復帰するときの動作を説明する図である。
【０１４０】
第４可動体装置２００は、図２３等に示すように、目玉ユニット２１０と、駆動機構２７０と、を有する。目玉ユニット２１０は、目玉を模した半球状の役物である。駆動機構２７０は、目玉ユニット２１０を下降させたり上昇させたりする。目玉ユニット２１０は、初期位置では、大部分が遊技盤２の背後に隠れ、下降したときに画像表示装置５の前方（遊技者側）に進出する。目玉ユニット２１０は、目玉の白目を構成する白目部材２１５と、黒目を構成する黒目部材２１６と、を有する（図２４参照）。目玉ユニット２１０は最下位置に到達したときに下降が止まるが、そのときの慣性により、黒目部材２１６が白目部材２１５の中央から下方にずれる（図２４参照）。その後、黒目部材２１６は、元の位置（白目部材２１５の中央）に復帰する。
【０１４１】
なお、以下の説明における各種の取付けは、特に言及がない限り、ビス（ネジ）による締め付け、回転可能な挿通（例えば、回転軸を孔や凹部に挿入することなど）、嵌合、爪などによる引っ掛け、接着材などによる接着などの適宜の方法で行うことができる。なお、取付対象の部材にボスが設けられている場合には、基本的にはビスによる締め付けで取付けが行われる。
【０１４２】
（目玉ユニット２１０の構成）
目玉ユニット２１０は、図２５、図２６に示すように、ベース２１１と、ＬＥＤ基板２１２と、拡散板２１３と、復帰機構２１４と、白目部材２１５と、黒目部材２１６と、カバー２１７と、を備える。
【０１４３】
ベース２１１は、目玉ユニット２１０のベースとなる部分であり、円形の部材である。ベース２１１は、上下方向に延びる溝２１１Ａ、２１１Ｂを備え、当該溝２１１Ａ、２１１Ｂは、それぞれ、その底面に上下方向に延びる貫通孔２１１ＡＡ、２１１ＢＡ（これらの用途については後述する。）を備える。
【０１４４】
ＬＥＤ基板２１２は、ドーナツ板形状を有し、ベース２１１に取付けられている。ＬＥＤ基板２１２には、発光する複数のＬＥＤが実装されている。
【０１４５】
拡散板２１３は、ＬＥＤ基板２１２を前方から覆い、ＬＥＤ基板２１２のＬＥＤから出射された光を拡散する。
【０１４６】
復帰機構２１４は、下方にずれた黒目部材２１６を元の位置に復帰させるための機構である。復帰機構２１４は、収容部材２１４Ａと、ダンパー２１４Ｂと、取付部材２１４Ｃと、クラッチギヤ２１４Ｄ、２１４Ｅと、弾性体２１４Ｆと、ラック２１４Ｇと、を備える（図２７も参照）。
【０１４７】
収容部材２１４Ａは、白目部材２１５の後面に取付けられている。収容部材２１４Ａは、ダンパー２１４Ｂと、取付部材２１４Ｃと、クラッチギヤ２１４Ｄ、２１４Ｅと、弾性体２１４Ｆと、ラック２１４Ｇと、を収容する部材である。収容部材２１４Ａには、取付部材２１４Ｃが取付けられている。
【０１４８】
ダンパー２１４Ｂは、収容部材２１４Ａと、取付部材２１４Ｃと、により挟まれ保持される。ダンパー２１４Ｂは、歯車２１４ＢＡを有する。歯車２１４ＢＡは、クラッチギヤ２１４Ｄの後述の歯２１４ＤＢに噛み合っており、ダンパー２１４Ｂは、クラッチギヤ２１４Ｄの回転を減速させる。ダンパー２１４Ｂは、例えば、オイル式のロータリーダンパーなどにより構成される。
【０１４９】
クラッチギヤ２１４Ｄは、回転軸２１４ＤＡと、回転軸２１４ＤＡに設けられた歯２１４ＤＢと、歯２１４ＤＢの前方に設けられ、回転軸２１４ＤＡの周方向に沿って並んだ複数の傾斜面Ｋ１からなるラチェット歯２１４ＤＣと、を有する。回転軸２１４ＤＡと歯２１４ＤＢとラチェット歯２１４ＤＣとは、一体的に形成されており、これらは一体的に回転する。回転軸２１４ＤＡは、収容部材２１４Ａと白目部材２１５とにより回転可能に保持（軸支）される。歯２１４ＤＢは、ダンパー２１４Ｂの歯車２１４ＢＡと噛み合っている。ラチェット歯２１４ＤＣは、クラッチギヤ２１４Ｅの後述のラチェット歯２１４ＥＣと噛み合っている。
【０１５０】
クラッチギヤ２１４Ｅは、前後方向に延びる貫通孔２１４ＥＡと、貫通孔２１４ＥＡの周りに設けられた歯２１４ＥＢと、貫通孔２１４ＥＡの周方向に沿って並んだ複数の傾斜面Ｋ２からなるラチェット歯２１４ＥＣと、を有する。歯２１４ＥＢとラチェット歯２１４ＥＣとは、一体的に形成されており、これらは一体的に回転する。クラッチギヤ２１４Ｅの貫通孔２１２ＥＡに、ラチェット歯２１４ＤＣから前方に延びる回転軸２１４ＤＡが挿通されており、これにより、クラッチギヤ２１４Ｅは、回転軸２１４ＤＡに回転可能かつ前後方向に移動可能に取付けられている。なお、クラッチギヤ２１４Ｅの前方には、回転軸２１４ＤＡが挿通された弦巻バネ（図示せず）が設けられている。この弦巻バネは、白目部材２１５とクラッチギヤ２１４Ｅとに挟まれ、クラッチギヤ２１４Ｅを後方に付勢している。なお、クラッチギヤ２１４Ｅを後方に付勢する方法は他の方法であってもよい。
【０１５１】
ラチェット歯２１４ＥＣは、ラチェット歯２１４ＤＣと合わさる。クラッチギヤ２１４Ｅが左回転するときには、ラチェット歯２１４ＥＣの傾斜面Ｋ２がラチェット歯２１４ＤＣの傾斜面Ｋ１上をスライドし、クラッチギヤ２１４Ｅの回転はクラッチギヤ２１４Ｄに伝達されない（クラッチギヤ２１４Ｅは、空回りする）。このとき、ラチェット歯２１４ＥＣの傾斜面Ｋ２が、ラチェット歯２１４ＤＣの傾斜面Ｋ１に押され、クラッチギヤ２１４Ｅは前方に移動するが、クラッチギヤ２１４Ｅは、上記のように後方に付勢されているため、クラッチギヤ２１４Ｅの左回転に伴って、傾斜面Ｋ２と傾斜面Ｋ１との接触が解除されたときには、クラッチギヤ２１４Ｅは後方に戻り、傾斜面Ｋ２は次の傾斜面Ｋ１と接触する（ラチェット歯２１４ＥＣとラチェット歯２１４ＤＣとが合わさった状態に戻る）。クラッチギヤ２１４Ｅが右回転するときには、隣同士の傾斜面Ｋ２により構成される段差部と、隣同士の傾斜面Ｋ１により構成される段差部と、が噛み合い、クラッチギヤ２１４Ｅの回転はクラッチギヤ２１４Ｄに伝達されない。
【０１５２】
歯２１４ＥＢは、ラック２１４Ｇの後述の歯２１４ＧＣに噛み合っている。
【０１５３】
弾性体２１４Ｆは、弦巻バネ等から構成され、下部がラック２１４Ｇの後述の引掛部２１４ＧＢに引っ掛けられ、上部が白目部材２１５の後述の引掛部２１５Ｂに引っ掛けられている。従って、弾性体２１４Ｆは、ラック２１４Ｇを上方に付勢する。
【０１５４】
ラック２１４Ｇは、前方に突出した突出部２１４ＧＡと、弾性体２１４Ｆの下部が引っ掛けられた引掛部２１４ＧＢと、クラッチギヤ２１４Ｅの歯２１４ＥＢと噛み合う歯２１４ＧＣと、を備える。突出部２１４ＧＡは、白目部材２１５の後述の貫通孔２１５Ａに入り込む。ラック２１４Ｇと、クラッチギヤ２１４Ｅとは、ラックとピニオンの関係になっており、後述のようにラック２１４Ｇの上下方向に移動すると、歯２１４ＥＢと歯２１４ＧＣとにより、クラッチギヤ２１４Ｅが回転する。
【０１５５】
白目部材２１５は、目玉ユニット２１０により表される目玉のうちの白目を構成する部材である。白目部材２１５は、拡散板２１３により拡散されたＬＥＤからの光を透過する透光性の部材である。これにより、白目部材２１５は、ＬＥＤ基板２１２のＬＥＤを光源として例えば白く発光する。白目部材２１５は、上下方向に延びる貫通孔２１５Ａを有する。貫通孔２１５Ａには、ラック２１４Ｇの突出部２１４ＧＡが挿入される。また、白目部材２１５は、後面に弾性体２１４Ｆの上部が引っ掛けられた引掛部２１５Ｂを有する。従って、ラック２１４Ｇは、貫通孔２１５Ａに案内されて、白目部材２１５に対して上下方向に移動可能となっているが、下方に移動したラック２１４Ｇには、弾性体２１４Ｆにより上方に戻そうとする弾性力が作用する。
【０１５６】
黒目部材２１６は、目玉ユニット２１０により表される目玉のうちの黒目を構成する部材である。黒目部材２１６は、ベース部材２１６Ａと、重り２１６Ｂと、円形部材２１６Ｃと、を備える。ベース部材２１６Ａは、円盤状の部材であり、中央に上下方向に長尺な貫通孔２１６ＡＡを有する。重り２１６Ｂは、黒目部材２１６を所定の重量（慣性により黒目部材２１６が下方にずれるのに必要な重量）にするために、黒目部材２１６に重さを付与するものである。重り２１６Ｂは、円盤状の部材であり、上下方向に長尺な貫通孔２１６ＢＡを中央に有する。円形部材２１６Ｃは、黒目として遊技者に視認される部分であり、その前面は、黒目を表現する塗装等が施されている。円形部材２１６Ｃは、後方に突出する２つ円筒が上下方向に並んだボス（凸部）２１６ＣＡを有する。ボス２１６ＣＡは、貫通孔２１６ＡＡ、貫通孔２１６ＢＡを通る。このため、ベース部材２１６Ａと、重り２１６Ｂと、は、ボス２１６ＣＡにより位置決めされ、黒目部材２１６（ベース部材２１６Ａと重り２１６Ｂと円形部材２１６Ｃ）は、一体的に移動する。ボス２１６ＣＡの先端は、ラック２１４Ｇの突出部２１４ＧＡの内側に入り込み当該突出部２１４ＧＡと嵌合している（ビス留めさせてもよい）。従って、円形部材２１６Ｃは、ベース部材２１６Ａと重り２１６Ｂとともにラック２１４Ｇに取付けられている。換言すると、黒目部材２１６は、ラック２１４Ｇに取付けられ、黒目部材２１６とラック２１４Ｇとは一体で白目部材２１５に対して上下方向に移動する（例えば、黒目部材２１６が下降すると、ラック２１４Ｇも下降する）。
【０１５７】
カバー２１７は、透光性部材であり、ベース２１１に取付けられている。カバー２１７とベース２１１とにより形成される内部に、ＬＥＤ基板２１２と、拡散板２１３と、復帰機構２１４と、白目部材２１５と、黒目部材２１６と、が収納される。この実施の形態では、白目部材２１５と黒目部材２１６とがカバー２１７を介して視認される。従って、目玉ユニット２１０は、目玉として視認される。なお、カバー２１７には、凹凸等による装飾が施されている。
【０１５８】
（駆動機構２７０の構成）
駆動機構２７０は、図２８、図２９に示すように、第１ベース２７１Ａと、第２ベース２７１Ｂと、モータ２７２と、ギヤ群２７３と、アーム２７４と、第１連結部材２７５と、スライド機構２７６と、第２連結部材２７７と、装飾体２７８と、Ｌ字部材２７９Ａ、２７９Ｂと、検出センサＸ１、Ｘ２と、を備える。
【０１５９】
第１ベース２７１Ａと第２ベース２７１Ｂとは、駆動機構２７０のベースを形成し、各種部材が取付けられ、各種部材を保持する。第１ベース２７１Ａには、検出センサＸ１が取付けられている。第２ベース２７１Ｂには、検出センサＸ２が取付けられている。
【０１６０】
モータ２７２は、ステッピングモータなどからなり、第１ベース２７１Ａの後面に取付けられる。モータ２７２の回転軸２７２Ａは、第１ベース２７１Ａに設けられた孔を通って、第１ベース２７１Ａの前方に出ている。
【０１６１】
ギヤ群２７３は、ピニオンギヤ２７３Ａと、中間ギヤ２７３Ｂと、円盤付ギヤ２７３Ｃと、を有する。ピニオンギヤ２７３Ａは、モータ２７２の回転軸２７２Ａに取付けられ、当該回転軸２７２Ａと一体に回転する。中間ギヤ２７３Ｂは、第１ベース２７１Ａに回転可能に取付けられ、ピニオンギヤ２７３Ａと噛み合っている。円盤付ギヤ２７３Ｃは、第１ベース２７１Ａに回転可能に取付けられている。円盤付ギヤ２７３Ｃは、中間ギヤ２７３Ｂに噛み合っているギヤ部２７３ＣＡと、ギヤ部２７３ＣＡの前方に配置された円盤２７３ＣＢと、円盤２７３ＣＢから前面に突出した突出部２７３ＣＣ（膨出形状となっており、後部は空間になっている。）と、ギヤ部２７３ＣＡの後方に配置された検出片２７３ＣＤと、を有し、これらは回転軸を共通にして一体的に形成されている。詳しくは、後述するが、突出部２７３ＣＣは、アーム２７４の回転を制御する。検出片２７３ＣＤは、円盤付ギヤ２７３Ｃが初期状態の回転位置にあるときに、検出センサＸ１により検出される。
【０１６２】
アーム２７４は、略弓形状になっており、一端部に回転軸２７４Ａを有する。回転軸２７４Ａは、第２ベース２７１Ｂに設けられた軸受け２７１ＢＤに挿通されている。このため、アーム２７４は、回転軸２７４Ａを回転軸にして回転可能となっている。また、アーム２７４は、周囲の領域２７４Ｃよりも後方に突出した係合部２７４Ｂと、アーム２７４の他端部（先端）に設けられ所定方向に延びる貫通孔２７４Ｄと、を有する。係合部２７４Ｂは、円盤付ギヤ２７３Ｃの突出部２７３ＣＣに係合する。これにより、アーム２７４の回転が制御される（詳しくは後述）。貫通孔２７４Ｄについては後述する。また、アーム２７４は、初期状態から所定の角度だけ回転したときに、検出センサＸ２により検出される検出片２７４Ｅも有する。
【０１６３】
第１連結部材２７５は、後方に突出したボス２７５Ａと、貫通孔を有する筒部２７５Ｂと、を有する。ボス２７５Ａは、アーム２７４の貫通孔２７４Ｄに入り込む。ボス２７５Ａの後端には、リング部材Ｗ３（ボス２７５Ａが貫通孔２７４Ｄから抜けるのを防ぐ抜け留めとして機能する）がビス等により締め付け固定されている。第１連結部材２７５は、筒部２７５Ｂの貫通孔に挿通されたビス等により、目玉ユニット２１０のベース２１１の後面に取付けられている（図２５、図２６も参照）。このため、第１連結部材２７５は、目玉ユニット２１０と一体で移動する。このような構成により、第１連結部材２７５は、目玉ユニット２１０とアーム２７４の先端とを連結している。従って、アーム２７４が回転すると、目玉ユニット２１０が移動することになるが、目玉ユニット２１０は後述のように上下方向にのみ動作する（図３０等も参照）。この実施の形態では、アーム２７４が回転して目玉ユニット２１０を移動させるのに伴って、第１連結部材２７５のボス２７５Ａがアーム２７４の貫通孔２７４Ｄ内を移動できるようにしている。これにより、アーム２７４の回転を、スムーズに、目玉ユニット２１０の上下方向の移動に変換できる。
【０１６４】
スライド機構２７６は、ベース部材２７６Ａと、第１スライド部材２７６Ｂと、第２スライド部材２７６Ｃと、を備える。これらは、上下方向に長尺な形状に形成されている。
【０１６５】
ベース部材２７６Ａは、第２ベース２７１Ｂが有する溝２７１ＢＣ内に取付けられている（固定されている）。第１スライド部材２７６Ｂは、ベース部材２７６Ａに対して上下方向にスライド可能（引き出し可能）に当該ベース部材２７６Ａに取付けられている（例えば、ベース部材２７６Ａの側面に上下方向に延びる案内溝（レール）を設け、断面コの字状の第１スライド部材２７６Ｂの側壁から内側に張り出したフランジを当該案内溝に入り込ませるなど）。第２スライド部材２７６Ｃは、第２連結部材２７７を挟んで、第１スライド部材２７６Ｂに取付けられている。
【０１６６】
第２連結部材２７７は、第１スライド部材２７６Ｂと第２スライド部材２７６Ｃとに挟まれることで、これらに保持されている。このため、第２連結部材２７７は、第１スライド部材２７６Ｂと第２スライド部材２７６Ｃと一体に移動する。第２連結部材２７７は、前方に突出したボス２７７Ａ及び２７７Ｂを有する。ボス２７７Ａは、目玉ユニット２１０のベース２１１の上下方向に延びた貫通孔２１１ＡＡに入り込み、ボス２７ＡＡの前端には、リング部材Ｗ１（ボス２７７Ａが貫通孔２１１ＡＡから抜けることを防ぐ機能を有する。）がビス等により締め付け固定されている（図２５、図２６も参照）。ボス２７７Ｂは、目玉ユニット２１０のベース２１１の上下方向に延びた貫通孔２１１ＢＡに入り込み、ボス２７７Ｂの前端には、リング部材Ｗ２（ボス２７７Ｂが貫通孔２１１ＢＡから抜けることを防ぐ機能を有する。）がビス等により締め付け固定されている。このような構成により、第２連結部材２７７は、スライド機構２７６と、目玉ユニット２１０とを連結し、目玉ユニット２１０は、スライド機構により上下方向にのみ移動可能となっている。なお、ボス２７７Ａ、２７７Ｂは、貫通孔２１１ＡＡ、２１１ＢＡ内を上下方向に移動可能である。このため、目玉ユニット２１０は、貫通孔２１１ＡＡ、２１１ＢＡに案内され、第１スライド部材２７６Ｂ、第２連結部材２７７等に対して相対的に上下方向に移動可能でもある。
【０１６７】
装飾体２７８は、第２スライド部材２７７Ｃを前方から覆い、スライド機構２７６を装飾している。装飾体２７８は、左右方向に張り出したフランジから後方に突出したボス２７８Ａ、２７８Ｂを有する。ボス２７８Ａは、第２ベース２７１Ｂが有する上下方向に延びた貫通孔２７１ＢＡ内を通り、ボス２７８Ａの後端には、ボス２７８Ａが貫通孔２７１ＢＡから抜けることを防止するＬ字部材２７９Ａが取付けられている。ボス２７８Ｂは、第２ベース２７１Ｂが有する上下方向に延びた貫通孔２７１ＢＢに入り込み、ボス２７８Ｂの後端には、ボス２７８Ｂが貫通孔２７１ＢＢから抜けることを防止するＬ字部材２７９Ｂが取付けられている。ボス２７８Ａ、２７８Ｂは、貫通孔２７１ＢＡ、２７１ＢＢ内を上下に移動可能である。このような構成により、装飾体２７８は、第２ベース２７１Ｂに対して上下方向に移動可能に、第２ベース２７１Ｂに取付けられている。
【０１６８】
なお、第２ベース２７１Ｂには、装飾体２７８とともにＬ字部材２７９Ａ及びＬ字部材２７９Ｂが下方に移動したときに当たるゴム材Ｇが取付けられている。
【０１６９】
装飾体２７８は、第２連結部材２７７により支持される段差２７８Ｃを有する。従って、例えば、第２連結部材２７７の上下方向に移動に伴って、装飾体２７８も上下方向に移動する。
【０１７０】
（第４可動体装置２００の動作）
次に第４可動体装置２００の動作を説明する（図２４、図３０、図３１なども参照）。なお、図３０（ａ）の状態が初期状態（目玉ユニット２１０が上方に位置している状態）である。初期状態では、円盤付ギヤ２７３Ｃの突出部２７３ＣＣ（図３０では、紙面裏側に向かって突出している。）がアーム２７４の係合部２７４Ｂと係合しており（押さえており）、アーム２７４は図３０（ａ）のような状態（目玉ユニット２１０が上部にある状態）で保持されている。
【０１７１】
第４可動体装置２００を動作させるとき、演出制御用ＣＰＵ１２０は、モータ２７２を駆動し、回転軸２７２Ａを回転させる。回転軸２７２Ａの回転は、ピニオンギヤ２７３Ａから中間ギヤ２７３Ｂを介して円盤付ギヤ２７３Ｃに伝達され、円盤付ギヤ２７３Ｃが回転する（ここでは、右回転する）。この回転により、突出部２７３ＣＣも移動するので、突出部２７３ＣＣと係合部２７４Ｂとの係合が解除される（図３０（ｂ））。当該係合が解除されると、アーム２７４は、回転軸２７４Ａを回転軸にして回転可能となり、重力により左回転（図３０の紙面では向かって左回転）する（図３０（ｂ）、（ｃ））。なお、図３０（ｂ）は、当該動作を分かり易くするために描かれた図であり、実際の図３０（ｂ）の時点では、アーム２７４の回転は始まっている。
【０１７２】
上述のように、アーム２７４の先端には、第１連結部材２７５を介して目玉ユニット２１０が連結されており、目玉ユニット２１０は、スライド機構２７６などにより上下方向にのみ移動するので、アーム２７４の回転により、目玉ユニット２１０は下降する（落下に近く、下降速度は早い）（図３０（ｃ）参照。図３０（ｃ）は、目玉ユニット２１０が最下位置にある状態である。）。このとき、第２連結部材２７７や装飾体２７８も下降する。装飾体２７８には、Ｌ字部材２７９Ａ及びＬ字部材２７９Ｂが取付けられており、装飾体２７８の下降により、Ｌ字部材２７９Ａ及びＬ字部材２７９Ｂそれぞれ（Ｌ字の左右方向に延びている部分）がゴム材Ｇに当たり、装飾体２７８の下降は終了する（図３０（ｃ））。スライド機構２７６の第１スライド部材２７６Ｂと第２スライド部材２７６Ｃとは、装飾体２７８よりもさらに下方まで下降する。また、目玉ユニット２１０は、第２連結部材２７７（第１スライド部材２７６Ｂ等）に対して下方に移動する。このような構成により、目玉ユニット２１０が下降する距離を長くとることができる。アーム２７４の回転は重力によるものなので、下降する目玉ユニット２１０は、図３０（ｃ）のように、第１スライド部材２７６Ｂと第２スライド部材２７６Ｃとが限界まで下降し（ベース部材２７６Ａから限界まで引き出され）、第２連結部材２７７が目玉ユニット２１０に対して上限位置まで位置したときに（第２連結部材２７７のボス２７７Ａ、２７７Ｂそれぞれが貫通孔２１１ＡＡ、２１１ＢＡを構成する内壁の上部に当たったときに）、急停止する。
【０１７３】
なお、アーム２７４が回転したことは、検出センサＸ２が検出片２７４Ｅにより検出される。演出制御用ＣＰＵ１２０は、初期状態からモータ２７２を駆動し続け、当該検出片２７４Ｅを検出したときに、モータ２７２の駆動を停止してもよい。
【０１７４】
上記ゴム材Ｇにより、装飾体２７８の下降時において、装飾体２７８のボス２７８Ａ及び２７８Ｂそれぞれが、貫通孔２７１ＢＡ及び貫通孔２７１ＢＢを形成する内壁に衝突することを防止でき、または、ボス２７７ＤＡ及びＤＢそれぞれが当該内壁に衝突したときの衝撃を軽減できる。他のゴム材を適宜の場所に設け、目玉ユニット２１０の急停止の衝撃を緩和してもよい（例えば、第１スライド部材２７６Ｂがベース部材２７６Ａから限界まで引き出されたときに、当該両部材が衝突する部分にゴム材を介在させるなど）。なお、ゴム材は、各種の弾性体に変えてもよい。
【０１７５】
目玉ユニット２１０が最下位置に達して急停止した場合、慣性により、黒目部材２１６は下方にずれる（図２４参照）。このときの目玉ユニット２１０の動作を図３１などを参照しながら説明する。なお、目玉ユニット２１０が急停止する前までは、黒目部材２１６は白目部材２１５の中央に位置したままである。
【０１７６】
黒目部材２１６が下方にずれるとき、当該黒目部材２１６とともにラック２１４Ｇも下方に移動する。ラック２１４Ｇ（黒目部材２１６）は、弾性体２１４Ｆの弾性力（復元力）に抗して下方に移動する（図３１（ａ）〜（ｂ））。ラック２１４Ｇは、下方への移動に伴って、クラッチギヤ２１４Ｅを左回転させる。このため、クラッチギヤ２１４Ｅは、回転力をクラッチギヤ２１４Ｄに伝達せずに空回りする。
【０１７７】
黒目部材２１６が最下位置までずれると、今度は、弾性体２１４Ｆの弾性力（復元力）により、ラック２１４Ｇ及び黒目部材２１６は元の位置に復帰しようとする（つまり、上方に移動する）（図３１（ｃ））。このとき、ラック２１４Ｇは、クラッチギヤ２１４Ｅを右回転させる。このため、クラッチギヤ２１４Ｅは、回転力をクラッチギヤ２１４Ｄに伝達する。このため、クラッチギヤ２１４Ｄが回転するが、当該クラッチギヤ２１４Ｄの回転（クラッチギヤ２１４Ｅの回転でもある）の回転速度は、ダンパー２１４Ｂにより減速させられる。その結果、クラッチギヤ２１４Ｅと噛み合うラック２１４Ｇの上方の移動も、弾性体２１４Ｆの弾性力に抵抗して減速させられる。従って、ダンパー２１４Ｂにより、黒目部材２１６の上方への移動速度が減速させられることになる。
【０１７８】
その後、所定タイミングにおいて、演出制御用ＣＰＵ１２０は、第４可動体装置２００を初期状態に戻す。具体的には、演出制御用ＣＰＵ１２０は、モータ２７２を駆動し、回転軸２７２Ａを回転させ、ピニオンギヤ２７３Ａから中間ギヤ２７３Ｂを介して円盤付ギヤ２７３Ｃを上記と同方向（ここでは右回転）にさらに回転させる。演出制御用ＣＰＵ１２０は、検出センサＸ１により、検出片２７３ＣＤを検出するまで（つまり、初期状態の回転位置まで）、モータ２７２を駆動し、円盤付ギヤ２７３Ｃを回転させる。当該円盤付ギヤ２７３Ｃの回転の過程では、突出部２７３ＣＣが再度係合部２７４Ｂに係合し、初期状態に戻るまで当該係合部２７４Ｂを押す。その結果、アーム２７４も初期状態の回転位置まで回転することになる。このようにして初期状態への復帰が行われる。なお、突出部２７３ＣＣは、移動の過程において、アーム２７４の係合部２７４Ｂ以外の部分には接触しないようになっている（係合部２７４Ｂの周囲の領域２７４Ｃは、係合部２７４Ｂのように後方に突出していないため、突出部２７３ＣＣが領域２７４Ｃの後方を通過できる。）。
【０１７９】
（本実施形態の効果）
この実施の形態では、ダンパー２１４Ｂにより、下方にずれた黒目部材２１６が元の位置に復帰するときの当該黒目部材２１６の移動速度を弾性体２１４Ｆの弾性力（復元力）に抗して遅く（遅延）させているので（ダンパー２１４Ｂが無いときよりも遅くさせているので）、黒目部材２１６の元の位置への復帰が単調にならず、演出効果が向上している。特に、黒目部材２１６は、慣性により早い速度で下方にずれてから、それよりも遅い速度で元の位置（白目部材２１５の中央）に戻るので、黒目により表される視線の動かしかたを面白みのあるものにすることができ（演出効果が高い態様での移動が実現される）、演出効果が向上している。
【０１８０】
また、黒目部材２１６は、目玉ユニット２１０の一部として構成され、目玉ユニット２１０の落下による慣性により、下方にずれるので、黒目部材２１６だけを移動させる電気的な部品を用いずに黒目部材２１６の下方への移動を実現でき、コストが削減されている。また、黒目部材２１６という一部分が動く、演出効果の高い役物（目玉ユニット２１０）を得ることができ、演出効果が向上している。
【０１８１】
また、黒目部材２１６の移動速度を遅延する手段として、ダンパー２１４Ｂを用いたので、黒目部材２１６が元の位置に復帰するときの移動態様が、ダンパーを用いないとき（弾性体２１４Ｆのみで元の位置に復帰させるとき）よりも独特のものとなり、演出効果が向上している。特に、オイル式のロータリーダンパーを用いることで、移動態様が独特のものとなり演出効果が向上している。また、当該遅延手段として、黒目部材２１６だけを移動させる電気的な部品を用いずに黒目部材２１６の元の位置への復帰を実現でき、コストが削減されている。
【０１８２】
また、この実施の形態では、下方への移動時には空転し、復帰時には噛み合うクラッチギヤ２１４Ｄ，２１４Ｅにより、黒目部材２１６の移動を制御しているので、黒目部材２１６について意外性のある動きを表現でき、演出効果が向上している。
【０１８３】
また、透光性のカバー２１７により、黒目部材２１６や白目部材２１５などに遊技球が当たってしまうことから保護でき（故障の発生を防止できる）、かつ、カバー２１７を介して黒目部材２１６や白目部材２１５を視認できるので、見た目が面白く、演出効果が向上している。
【０１８４】
（第４可動体装置２００による演出等について）
演出制御用ＣＰＵ１２０は、モータ２７２を駆動するなどして、第４可動体装置２００を動作させるが、当該動作を演出の少なくとも一部として実行する。当該演出としては、例えば、リーチ演出（特にスーパーリーチ、バトル演出などを含む）、一発告知（実行中の可変表示の大当り期待度が高い場合に実行される予告演出の一種）、各種予告演出（大当り期待度を予告する演出）、選択演出（これから実行される演出を選択する演出）、擬似連、先読み予告、大当り遊技状態時における演出、特定の演出モード等がある。先読み予告とは、保留されている可変表示（特図ゲーム）の大当り期待度などを、当該可変表示が実行される前に予告する演出である。先読み予告は、第１又は第２始動入賞発生時に行われる先読み判定（始動入賞発生時に抽出される遊技用乱数値に基づいて当該始動入賞発生時に行われる大当りか否か、変動パターンなどの判定）の判定結果に基づいて行われる。例えば、主基板１１が、先読み判定を行って判定結果を演出制御コマンドにより演出制御基板１２に通知し、演出制御基板１２の演出制御用ＣＰＵ１２０が先読み予告の実行の有無や態様を決定する。
【０１８５】
演出制御用ＣＰＵ１２０は、可変表示結果として「大当り」の図柄が導出表示されたときに、目玉ユニット２１０を下降させ、目玉ユニット２１０を初期状態の位置に戻すことに連動して、画像表示装置５やスピーカ８Ｌ、８Ｒによる演出（例えば、ファンファーレの演出など）を実行してもよい。
【０１８６】
演出制御用ＣＰＵ１２０は、実行する演出に応じて、ＬＥＤ基板２１２に実装されたＬＥＤの点灯態様（白目部材２１５の発光態様）を変えてもよい。このとき、大当り期待度に応じて点灯態様を変えても良い。
【０１８７】
（変形例）
この発明は、上記実施の形態などに限定されず、上記実施の形態などについて様々な変形及び応用が可能である。例えばパチンコ遊技機１は、上記実施の形態で示した全ての技術的特徴を備えるものでなくてもよく、当業者が当然認識し得る従来技術における少なくとも１つの課題（例えば、上記で示した課題以外の課題でもよい）を解決できるように、上記実施の形態で説明した一部の構成を備えたものであってもよい。以下に上記実施の形態の変形例を例示するが、各変形例の少なくとも一部は矛盾が生じない限り組み合わせることができる。
【０１８８】
（変形例１）
なお、パチンコ遊技機１は、第４可動体装置２００の異常を検出する検出手段を備えるようにしてもよい。そして、第４可動体装置２００に異常がある場合には、第４可動体装置２００が動作しても目玉ユニット２１０が下降しないように当該目玉ユニット２１０を固定する固定手段を設けるようにしてもよい。
【０１８９】
検出手段の一例として、例えば、演出制御用ＣＰＵ１２０は、パチンコ遊技機１の電源投入時に第４可動体装置２００を実際に動作させて、正常に動くかを判定してもよい。当該判定は、例えば、検出センサＸ１やＸ２により検出片２７３ＣＤや検出片２７４Ｅを正常（例えば、予め定められた期間内）に検出できたか（検出センサＸ１やＸ２から検出片を検出したときに出力される検出信号を受信できたかなど）により行う。なお、パチンコ遊技機１の電源投入時に第４可動体装置２００を実際に動作させたとき、遊技場の店員等が第４可動体装置２００の動きを確認し、異常のときに所定のスイッチ（検出手段に相当する。）を押すことにより、固定手段による固定をおこなわせてもよい。
【０１９０】
固定手段は、例えば、ソレノイドなどにより後方から前方に進出し、初期状態にあるアーム２７４の回転を阻止する所定の可動部材であってもよいし、演出制御用ＣＰＵ１２０が第４可動体装置２００により演出を実行することを自ら禁止することによって実現されてもよい。なお、固定手段が動作する前、演出制御用ＣＰＵ１２０は、モータ２７２を駆動して、第４可動体装置２００を強制的に初期状態にする処理（予め定められた処理）を行うようにしてもよい。これにより、目玉ユニット２１０が進出した状態で固定手段が動作してしまう不都合を防止できる。
【０１９１】
このような構成によれば、正常に動作しない恐れのある目玉ユニット２１０を目立たないようにすることができるなど、異常時の遊技機の動作を適切なものとすることができる。なお、第４可動体装置２００の異常を検出したときには、第４可動体装置２００を再度動作させる処理を、第４可動体装置２００の異常の検出が無くなるまで数回繰り返してもよい。
【０１９２】
（上記実施形態等の少なくとも一部を一例とする構成など）
次に、上記実施形態や変形例等の少なくとも一部を一例とする構成やさらなる変形例などについて説明するが、下記の構成は、適宜一部省略してもよいし、一部のみを採用して遊技機を構成してもよい。
【０１９３】
（１）遊技機は、
演出体（例えば、黒目部材２１６など）と、
前記演出体を第１位置（例えば、白目部材２１５の中央など）から第２位置（例えば、白目部材２１５の下部など）に移動させる第１特定手段（例えば、駆動機構２７０など）と、
前記演出体に前記第２位置から前記第１位置へ移動させる力を作用させる第２特定手段（例えば、弾性体２１４Ｆなど）と、
前記第２特定手段が前記演出体に作用させる力に抵抗して、前記演出体の前記第１位置への移動を遅らせる遅延手段（例えば、ダンパー２１４Ｂなど）と、
を備えることを特徴とする。
【０１９４】
演出体は、目玉ユニット２１０など、特定の役物の一部でなくてもよく、演出体単独で動作するものであってもよい。第１特定手段は、目玉ユニット２１０など（演出体のみであってもよい。）を、自由落下させるもの、モータなどにより左右に移動させるものなどであってもよい。第２特定手段は、弾性体（ゴムや板バネなどであってもよい。）の他、モータなどであってもよい。遅延手段は、弾性体（ゴムやバネ）などであってもよい。遅延手段は、第２特定手段が作用させる力を減衰させるもの（例えば、ダンパー等）でも、第２特定手段とは別個に演出体に直接力を作用させるもの（例えば、ゴムやバネなどの弾性体）であってもよい。遅延手段は、当該遅延手段がないときよりも、又は、演出体が第１位置から第２位置に移動するときの速度よりも、演出体の移動速度を減少させるものなどであればよい。
【０１９５】
このような構成によれば、演出体を演出効果が高い態様で移動させることができ、演出効果を向上させることができる。
【０１９６】
（２）上記（１）の遊技機において、
前記演出体は、可動部材（例えば、目玉ユニット２１０など）の一部であり、移動する前記可動部材が停止したとき（例えば、目玉ユニット２１０の下方への移動への急停止など）の慣性により前記第２位置へ移動する、
ようにしてもよい。
【０１９７】
このような構成によれば、演出効果の向上を、コストを抑制しながら実現することができる。なお、慣性に加えて、停止後に重力が働いてもよい（この場合も、「慣性により前記第２位置へ移動する」に含まれる）。なお、慣性に代えて、停止後に重力が働いて、演出体が第２位置へ移動してもよい。
【０１９８】
（３）上記（１）または（２）の遊技機において、
前記遅延手段は、ダンパ（例えば、ダンパー２１４Ｂなど）である、
ようにしてもよい。
【０１９９】
このような構成によれば、演出効果の向上を、コストを抑制しながら実現することができる。ダンパーは、例えば、第２特定手段の力を減衰させるものなどであればよく、摩擦式のロータリーダンパー（第２特定手段からの力を変換したギヤ等の回転速度を減少させることで、第２特定手段の力を減少させるもの）や、他の種類のダンパーなどであってもよい。
【０２００】
（４）上記（１）〜（３）のいずれかの遊技機において、
前記演出体が前記第１位置から前記第２位置へ移動する際に空転し、前記第２位置から前記第１位置へ移動する際に噛み合うクラッチギヤ（例えば、クラッチギヤ２１４Ｄ，２１４Ｅ）が、前記演出体と前記遅延手段との間に介在している、
ようにしてもよい。
【０２０１】
このような構成によれば、演出効果を向上させることができる。例えば、第２特定手段からの力は、噛み合ったクラッチギヤを回転させ、遅延手段は、噛み合ったクラッチギヤの回転速度を減少させることで、演出体の第１位置への移動を送らせるものであるとよい。
【０２０２】
（５）上記（２）〜（４）のいずれかの遊技機において、
前記演出体又は前記可動部材の異常を検出する検出手段（例えば、変形例１など）と、
前記検出手段により前記異常が検出された場合に、前記演出体又は前記可動部材を初期位置で固定する固定手段（例えば、変形例１など）と、をさらに備える、
ようにしてもよい。
【０２０３】
このような構成によれば、異常時の遊技機の動作を適切なものとすることができる。
【０２０４】
（６）上記（１）〜（５）のいずれかの遊技機において、
前記演出体の前方は、透光性を有する部材（例えば、カバー２１７など）で覆われている、
ようにしてもよい。
【０２０５】
このような構成によれば、演出体に遊技媒体が接触することを防ぐことができ、故障の
発生を抑制することができる。透光性は、半透明などであってもよい。
【０２０６】
（可動体ユニットを用いた可動体演出）
次に、可動体ユニットを用いた可動体演出の一例について図３２に基づいて説明する。図３２は、（Ａ）〜（Ｆ）は可動体演出の流れの一例を示す説明図である。
【０２０７】
先ず、図３２（Ａ）に示すように、例えば、所定の変動表示中においてリーチ状態が成立する。次に、図３２（Ｂ）に示すように、リーチ状態が成立した後にスーパーリーチ演出等が実行され、該スーパーリーチ演出の実行中における所定タイミングにおいて、画像表示装置５に遊技者に対してスティックコントローラ３１Ａを操作するよう促す表示が実行される。このとき、第１可動体３００Ｌ，３００Ｒ、第２可動体４００Ｌ，４００Ｒ、第３可動体５００Ｌ，５００Ｒ、目玉ユニット２１０は、それぞれの待機位置に配置されている。
【０２０８】
遊技者がスティックコントローラ３１Ａの操作受付期間中に該スティックコントローラ３１Ａを操作すると、本実施の形態における可動体演出の開始条件が成立したとして可動体演出が実行され、図３２（Ｃ）に示すように、目玉ユニット２１０が待機位置から演出位置に下降移動する。
【０２０９】
次に、図３２（Ｄ）に示すように、画像表示装置５に所定のエフェクト画像が表示されるとともに、第１可動体３００Ｌ，３００Ｒ及び第２可動体４００Ｌ，４００Ｒが待機位置から演出位置に移動する。このときには、前述のように、第１可動体３００Ｌ，３００Ｒ及び第２可動体４００Ｌ，４００Ｒは前後方向への移動や傾きが規制されているため、第１可動体３００Ｌ，３００Ｒ及び第２可動体４００Ｌ，４００Ｒ同士にずれが生じることなく適正に正面視リング状の演出部を構成できる。
【０２１０】
また、第１可動体３００Ｌ，３００Ｒ及び第２可動体４００Ｌ，４００Ｒは、遊びによる傾きが規制されることで、演出位置において前後に重なる第３可動体５００Ｌ，５００Ｒや目玉ユニット２１０や、前面側の遊技盤２や背面側の画像表示装置５などとの接触が防止される。
【０２１１】
また、目玉ユニット２１０が演出位置に移動した後に、第１可動体３００Ｌ，３００Ｒが演出位置に移動するため、第１可動体３００Ｌ，３００Ｒと目玉ユニット２１０とが接触することがない。すなわち、第１可動体３００Ｌ，３００Ｒと目玉ユニット２１０とを前後に近付けて配置することができるようになっている。
【０２１２】
次いで、図３２（Ｅ）に示すように、画像表示装置５に前記エフェクト画像（図３２（Ｄ）に示すエフェクト画像）とは異なるエフェクト画像が表示されるとともに、第３可動体５００Ｌ，５００Ｒが待機位置から演出位置に移動し、可動体ユニット（第１可動体３００Ｌ，３００Ｒ、第２可動体４００Ｌ，４００Ｒ、第３可動体５００Ｌ，５００Ｒ、目玉ユニット２１０）が一の演出構造を構成する。このとき、前述したように、第３可動体５００Ｌ，５００Ｒの上端部５１１Ｌ，５１１Ｒ側が移動規制部５４０Ｌ，５４０Ｒにより衝撃を吸収しながら停止されるので、第３可動体５００Ｌ，５００Ｒを適正な状態で演出位置に配置できるようになっている。
【０２１３】
前記可動体ユニットによる演出状態が所定期間経過すると、図３２（Ｆ）に示すように、第１可動体３００Ｌ，３００Ｒ、第２可動体４００Ｌ，４００Ｒ、第３可動体５００Ｌ，５００Ｒ、目玉ユニット２１０がそれぞれの待機位置に戻される。このとき、第３可動体５００Ｌ，５００Ｒの上端部５１１Ｌ，５１１Ｒ側が特定移動規制部５３０Ｌ，５３０Ｒにより衝撃を吸収しながら停止されるので、第３可動体５００Ｌ，５００Ｒを適正な状態で待機位置に配置できるようになっている。尚、このとき、画像表示装置５には、所定の図柄（例えば、７−７−７等）が表示される。
【０２１４】
尚、上記では第１可動体３００Ｌ，３００Ｒ、第２可動体４００Ｌ，４００Ｒ、第３可動体５００Ｌ，５００Ｒ及び目玉ユニット２１０が一の可動体演出において動作する形態を例示したが、本発明はこれに限定されるものではなく、演出制御用ＣＰＵ１２０は、第１可動体３００Ｌ，３００Ｒ、第２可動体４００Ｌ，４００Ｒ、第３可動体５００Ｌ，５００Ｒ及び目玉ユニット２１０各々を他の演出タイミングにおいて個別に動作させることが可能である。
【０２１５】
（変形例１）
次に、変形例１について図３３に基づいて説明する。図３３は、変形例１を示す説明図である。尚、本変形例１においては、第１可動体とアームとの連結部分における変形例について説明する。さらに尚、図３３は、右側の第１可動体とアームとの連結部分を背面側から見た図である。
【０２１６】
図３３に示すように、アーム３４０の軸受部３４１の内周面には、周方向の１個所に規制部３４１ａが形成されている。規制部３４１ａは、軸受部３４１の内周面の所定部位から背面視時計回りに内径方向に向かって傾斜する傾斜面３４１ｂを有している。また、第１可動体３５０の軸部３５１には、周方向の１個所に外径方向に突出する被規制部３５１ａが形成されている。
【０２１７】
図３３（Ａ）に示すように、第１可動体３５０が待機位置にあるときには、規制部３４１ａが右側に配置されており、被規制部３５１ａが左側に配置されている。すなわち、規制部３４１ａと被規制部３５１ａとが接触しないようになっている。また、図３３（Ｂ）に示すように、第１可動体３５０が演出位置にあるときには、規制部３４１ａと被規制部３５１ａとが下側に配置され、径方向に重畳している。すなわち、規制部３４１ａと被規制部３５１ａとが接触している。
【０２１８】
これによれば、規制部３４１ａと被規制部３５１ａとが接触するまでは、第１可動体３５０とアーム３４０との接触面積を減らしてスムーズに回動させることができるとともに、規制部３４１ａと被規制部３５１ａとが接触したときには、軸受部３４１と軸部３５１との間の隙間が規制部３４１ａ及び被規制部３５１ａにより埋められて第１可動体３５０の傾きが規制される。さらに、規制部３４１ａには、傾斜面３４１ｂが形成されているため、規制部３４１ａと被規制部３５１ａとを円滑に接触させることができる。すなわち、規制部３４１ａと被規制部３５１ａとが接触したときに、第１可動体３５０が跳ね上がったりすることを回避できる。
【０２１９】
（変形例２）
次に、変形例２について図３４に基づいて説明する。図３４は、変形例２を示す説明図である。尚、本変形例２においては、第２可動体における変形例について説明する。
【０２２０】
図３４に示すように、本変形例２におけるベース部材４４１は、案内孔部４４２が設けられており、案内孔部４４２は、該案内孔部４４２の下端側に設けられる第１案内孔部４４２Ｂと、案内孔部４４２の上端側に設けられる第２案内孔部４４２Ａと、から構成されている。
【０２２１】
案内孔部４４２の前面側を構成するリブ４４３は、ベース部材４４１に沿って上下方向に延びており、リブ４４３の前面は垂直となっている。また、案内孔部４４２の背面側を構成するリブ４４４は、上端側（第２案内孔部４４２Ａに対応）が下端側（第１案内孔部４４２Ｂに対応）よりも後方側に大きくなるように形成されている。すなわち、第２案内孔部４４２Ａの前後幅Ｌ７（深さ寸法）は、第１案内孔部４４２Ｂの前後幅Ｌ６（深さ寸法）よりも大きい（Ｌ６＜Ｌ７）。また、第２案内孔部４４２Ａの前後幅Ｌ７は、第２被案内軸部４１３ａにおける係止部４１７ａと係止部４１７ｂとの間隔Ｌ２（第１被案内軸部４１３ｂにおける係止部４１８ａと係止部４１８ｂとの間隔Ｌ２）と略同一となっており、第１案内孔部４４２Ｂの前後幅Ｌ６は、係止部４１７ａと係止部４１７ｂとの間隔Ｌ２よりも小さい（Ｌ７＝Ｌ２、Ｌ６＜Ｌ２）。
【０２２２】
これによれば、第２可動体４４０が待機位置にあるときには、第１被案内軸部４１３ｂと第２被案内軸部４１３ａとが第１案内孔部４４２Ｂに配置されているため、第２可動体４４０が演出位置に移動するまでの間の区間は、第１被案内軸部４１３ｂ及び第２被案内軸部４１３ａと第１案内孔部４４２Ｂとの接触面積を減らしてスムーズに第２可動体４４０を移動させることができるようになっている。
【０２２３】
また、第２可動体４４０が演出位置にあるときには、第１被案内軸部４１３ｂが第１案内孔部４４２Ｂに配置され、第２被案内軸部４１３ａが第２案内孔部４４２Ａに配置されており、ベース部材４４１との間に第２可動体４４０が前後に移動可能または傾くことが可能な遊びが無い状態、または小さい状態となるため、演出位置において第２可動体４４０を適正に配置することができる。
【０２２４】
（変形例３）
変形例３について図３５に基づいて説明する。図３５は、変形例３を示す説明図である。尚、本変形例３においては、変形例２とは異なる第２可動体における変形例について説明する。
【０２２５】
前記実施の形態では、案内孔部４２０の前後の周縁にリブ４１５，４１６が設けられる形態を例示したがこれに限られず、例えば、案内孔部４５２における第２案内孔部４５２Ａが第１案内孔部４５２Ｂよりも背面側にずれて配置されるようにベース部材４５１を屈曲させて形成し、リブの構成を省略してもよい。この場合であっても、第２可動体４００Ｌ，４００Ｒが待機位置にあるときには、該第２可動体４００Ｌ，４００Ｒがスムーズに移動できる状態にでき、第２可動体４００Ｌ，４００Ｒが演出位置にあるときには、該第２可動体４００Ｌ，４００Ｒの移動や傾きを抑えた状態にすることができる。
【０２２６】
（変形例４）
変形例４について図３６に基づいて説明する。図３６は、変形例４を示す説明図である。尚、本変形例４においては、第３可動体における変形例について説明する。さらに尚、図３６は、左側の第３可動体を背面側から見た概略図である。
【０２２７】
図３６に示されるように、第３可動体５８０は、上端部５８１が上部案内部材５８３に案内され、下端部５８２の上方の部位が下部案内部材５８４に案内されている。すなわち、第３可動体５８０の下端部５８２は、下部案内部材５８４よりも下方に配置されている。また、駆動機構により回動するアーム５８５は、第３可動体５８０における下部案内部材５８４よりも下方に設けられる被作用部５８６に長孔５８５ａを介して取付けられている。
【０２２８】
第３可動体５８０の上端部５８１から被作用部５８６までの寸法Ｌ９は、第３可動体５８０の下端部５８２から被作用部５８６までの寸法Ｌ８よりも大きい（Ｌ９＜Ｌ８）。すなわち、被作用部５８６は、第３可動体５８０の上端部５８１よりも下端部５８２に近い位置に形成されている。
【０２２９】
移動規制部５８７と特定移動規制部５８８とは、被作用部５８６から遠い第３可動体５８０の上端部５８１側に配設されているため、第３可動体５８０を待機位置及び演出位置で適正に停止させることができる。
【０２３０】
このように、第３可動体５８０の下端部５８２が下部案内部材５８４よりも下方に配置されていてもよい。具体的には、第３可動体における被作用部から遠い側の端部に移動規制部及び特定移動規制部が設けられていれば、第３可動体における被作用部の位置は自由に変更できる。
【０２３１】
以上説明したように、本実施の形態には、以下に示す第１発明が含まれている。つまり、従来、動作可能な可動体を備えた遊技機において、例えば、特開２０１３−１８０１４８号公報等に記載されたもののように、ベース部材に対して回動可能に取付けられるリンク部材により可動体が第１位置から第２位置に移動するもの等があった。上記特許公報に記載の遊技機では、可動体を移動させるときに、該可動体が重量によりリンク部材に対して傾くことがあり、見た目が悪く、演出効果を損なう虞があった。そこで、可動体の動作時の傾きを抑えることができる遊技機を提供することを目的として、第１発明の手段１の遊技機は、
遊技が可能な遊技機（例えば、パチンコ遊技機１）であって、
所定部材（例えば、アーム３０３Ｌ，３０３Ｒ／ベース部材３０１）に対して動作可能な可動体（例えば、第１可動体３００Ｌ，３００Ｒ）を備え、
前記可動体は、前記所定部材と該可動体のうち一方に設けられた軸部（例えば、軸部３２１）及び他方に設けられ前記軸部が挿入される筒状の軸受部（例えば、軸受部３２３）により、前記所定部材に対し回動可能であり、
前記軸部と前記軸受部との間には隙間が設けられ（例えば、軸部３２１に外嵌された第１スペーサ部材３２５及び第２スペーサ部材３２６の外周面と、軸受部３２３の内周面との間の上部には、隙間Ｓ２が形成されており、該隙間Ｓ２により第１可動体３００Ｒとアーム３０３Ｒとの接触面積が小さくなり相対的な回動をスムーズに行うことができるようになっている。）、
前記隙間に、前記軸受部と前記軸部とのうち一方に対する他方の傾きを規制するための規制部（例えば、規制部３２４ａ）を備える（例えば、第１可動体３００Ｒが演出位置にあるときには、凹部３２４の下部に規制部３２４ａが配置されており、該規制部３２４ａに第２スペーサ部材３２６のフランジ部３２６ａ（第２スペーサ部材３２６における軸部３２１と軸受部３２３との隙間に挿入される部分の後端から外径方向に延出する環状の部分）が当接している。図８参照。）
ことを特徴としている。
この特徴によれば、軸部と軸受部との間の隙間が規制部により埋められているため、可動体の傾きを抑えることができる。
【０２３２】
詳しくは、アーム３０３Ｌ，３０３Ｒの凹部３２４に規制部３２４ａが形成されており、第１可動体３００Ｌ，３００Ｒが演出位置にあるときにおいて、規制部３２４ａが凹部３２４の下部に配置され、該規制部３２４ａに第２スペーサ部材３２６のフランジ部３２６ａが当接している、つまり、軸部３２１と軸受部３２３（凹部３２４を含む）との間が規制部３２４ａにより埋められているため、第１可動体３００Ｌ，３００Ｒに該第１可動体３００Ｌ，３００Ｒの下端が前方側に移動するような力が作用しても、規制部３２４ａにより第１可動体３００Ｒの傾きが規制され、第１可動体３００Ｒを適正位置に配置することができる。
【０２３３】
また、軸受部は、第１筒状部（軸受部３２３）と第１筒状部よりも大径の第２筒状部（凹部３２４）があり、軸部３２１は、第１筒状部から第２筒状部に突出するように挿入されており、第２筒状部に規制部（規制部３２４ａ）が形成されている。
【０２３４】
第１発明の手段２の遊技機は、手段１に記載の遊技機であって、
前記規制部は、前記軸部の外壁または前記軸受部の内壁から突出して形成される（例えば、凹部３２４は、軸受部３２３の一部を構成している。また、凹部３２４は、その内面の周方向の１個所に前後方向に延びる突条の規制部３２４ａが形成されている。図７〜図９参照。）
ことを特徴としている。
この特徴によれば、簡素な構造で可動体の傾きを好適に抑えることができる。
【０２３５】
詳しくは、軸受部３２３の凹部３２４に規制部３２４ａが形成されているので、規制部を別部材で構成する必要がないため、規制部３２４ａを簡素な構造とすることができるとともに、軸部３２１と軸受部３２３との間に規制部３２４ａが配置された状態を維持することができる。言い換えれば、規制部が軸部３２１と軸受部３２３との間から外れるといった虞を回避できる。
【０２３６】
第１発明の手段３の遊技機は、手段１または２に記載の遊技機であって、
前記可動体（例えば、第１可動体３００Ｌ，３００Ｒ）は、第１位置（例えば、待機位置）と該第１位置とは異なる第２位置（例えば、演出位置）との間で回動可能であり、
前記第２位置まで移動したときに特定部材（例えば、第１可動体３００Ｌに対する第１可動体３００Ｒ／第１可動体３００Ｒに対する第１可動体３００Ｌ／第２可動体４００Ｌ，４００Ｒ）と合体する（例えば、第１可動体３００Ｌ，３００Ｒが演出位置に移動し、左右方向に連設されるように合体して一の演出部を形成した状態。／第１可動体３００Ｌ，３００Ｒと第２可動体４００Ｌ，４００Ｒとが正面視リング状の演出部を構成される。図１５，図１６参照）
ことを特徴としている。
この特徴によれば、規制部により可動体の傾きを抑えられるため、可動体が第２位置まで移動したときに特定部材に対して面一に合体させやすくなる。
【０２３７】
より詳しくは、第１可動体３００Ｌ，３００Ｒの傾きが規制され、第１可動体３００Ｌ，３００Ｒを適正位置に配置することができるようになっているため、第１可動体３００Ｌ，３００Ｒの前面３３０Ｌ，３３０Ｒ（演出面）同士や、第１可動体３００Ｌ，３００Ｒの前面３３０Ｌ，３３０Ｒと第２可動体４００Ｌ，４００Ｒの前面４３０Ｌ，４３０Ｒ同士を面一に揃えることができる。
【０２３８】
第１発明の手段４の遊技機は、手段３に記載の遊技機であって、
前記所定部材（例えば、アーム３０３Ｌ，３０３Ｒ）は、駆動源（駆動機構３０２Ｌ，３０２Ｒ）により回動可能にベース体（例えば、ベース部材３０１）に軸支され、
前記可動体は、前記所定部材に対し駆動源によらず回動可能である（例えば、待機位置から演出位置に移動する際には、第１可動体３００Ｌ，３００Ｒの所定部位３０４ａ，３０４ｂが接触部３０１ａ，３０１ｂから離間することでねじりバネ３０６Ｌ，３０６Ｒが弾性復元してアーム３０３Ｌ，３０３Ｒと第１可動体３００Ｌ，３００Ｒとが展開した状態となる（図６（Ｂ）の拡大部参照）。）
ことを特徴としている。
この特徴によれば、ベース体に対する所定部材の軸支部ではなく、所定部材に対する可動体の軸支部に規制部を設けることで、特定部材に対する可動体の傾きを微調整しやすくなる。
【０２３９】
詳しくは、ベース部材３０１に対するアーム３０３Ｌ，３０３Ｒの軸支部ではなく、実際に演出を行う第１可動体３００Ｌ，３００Ｒに近い第１可動体３００Ｌ，３００Ｒとアーム３０３Ｌ，３０３Ｒとの連結部分に規制部３２４ａを設けたので、第１可動体３００Ｌ，３００Ｒの傾きが適正となるように微調整しやすい。
【０２４０】
また、前記実施の形態には、以下に示す第２発明が含まれている。つまり、従来、動作可能な可動体を備えた遊技機において、例えば、特開２０１３−１８０１４８号公報等に記載されたもののように、ベース部材に対して回動可能に取付けられるリンク部材により可動体が第１位置から第２位置に移動するもの等があった。上記特許公報に記載の遊技機では、可動体を移動させるときに、該可動体が重量によりリンク部材に対して傾くことがあり、見た目が悪く、演出効果を損なう虞があった。そこで、可動体の動作時の傾きを抑えることができる遊技機を提供することを目的として、第２発明の手段１の遊技機は、
遊技が可能な遊技機（例えば、パチンコ遊技機１）であって、
所定部材（例えば、ベース部材４０１Ｌ，４０１Ｒ／ベース部材４４１）に対し移動可能な可動体（例えば、第２可動体４００Ｌ，４００Ｒ／第２可動体４４０）と、
前記所定部材に設けられ、前記可動体を第１位置（例えば、第２可動体４００Ｌ，４００Ｒの待機位置）から該第１位置とは異なる第２位置（例えば、第２可動体４００Ｌ，４００Ｒの演出位置）に向けて案内する案内部（例えば、案内孔部４２０／案内孔部４４２）と、
前記可動体に設けられ、前記案内部によって案内される被案内部（例えば、被案内軸部４１３ａ，４１３ｂ）と、
を備え、
前記可動体は、前記所定部材の一面側（例えば、前面側）に重心（例えば、重心Ｇ１）が位置するものであり（例えば、第２可動体４００Ｌは、ベース部材４０１Ｌの前面側に重心が位置している。）、
前記可動体が前記第２位置まで移動するときに、前記被案内部が前記一面側とは反対側（例えば、背面側）へ重心が傾くように移動する（例えば、演出位置における第２可動体４００Ｌの重心Ｇ１の位置は、待機位置における第２可動体４００Ｌの重心Ｇ１の位置よりも背面側に重心Ｇ１が傾くようになる。図１２参照。）
ことを特徴としている。
この特徴によれば、可動体は、第２位置へ移動したときに一面側とは反対側へ重心が傾くように移動することで、該可動体が所定部材に対し一面側に離れたり傾いたりすることを抑えることができるため、演出効果が損なわれることを防止できる。
【０２４１】
詳しくは、第２可動体４００Ｌ，４００Ｒは、ベース部材４０１Ｌ，４０１Ｒの前面側に位置しており、第２可動体４００Ｌが前方側に倒れる方向に力が作用するが、演出位置における第２可動体４００Ｌ，４００Ｒの重心Ｇ１の位置は、待機位置における第２可動体４００Ｌ，４００Ｒの重心Ｇ１の位置よりも背面側に重心Ｇ１が傾くようになるため、第２可動体４００Ｌ，４００Ｒが傾くことを抑えることができる。
【０２４２】
第２発明の手段２の遊技機は、手段１に記載の遊技機であって、
前記被案内部は、前記案内部に対し遊びがある状態で抜け止めされており、
前記可動体が前記第２位置まで移動するときに、前記被案内部の前記一面側への移動が規制される（例えば、第２可動体４００Ｌが演出位置に移動したときには、前述のように、第１被案内軸部４１３ｂを中心として該第２可動体４００Ｌの上端が前方側に倒れるように傾きが生じても、第２可動体４００Ｌの移動及び傾くことが可能な遊びが無い、または小さくなっているため、第２可動体４００Ｌの移動や傾きを抑えて、演出位置において第２可動体４００Ｌを適正に配置することができる。図１２参照。／第２可動体４４０が演出位置にあるときには、第１被案内軸部４１３ｂが第１案内孔部４４２Ｂに配置され、第２被案内軸部４１３ａが第２案内孔部４４２Ａに配置されており、第２可動体４４０の上端の前後の移動及び傾くことが可能な遊びが無い状態、または小さい状態となるため、演出位置において第２可動体４４０を適正に配置することができる。図３４参照。）
ことを特徴としている。
【０２４３】
詳しくは、第２可動体４００Ｌが演出位置に移動したときには、前述のように、第１被案内軸部４１３ｂを中心として該第２可動体４００Ｌの上端が前方側に倒れるように傾きが生じても、第２可動体４００Ｌの移動及び傾くことが可能な遊びが無い、または小さくなっているため、第２可動体４００Ｌの移動や傾きを抑えて、演出位置において第２可動体４００Ｌを適正に配置することができる。
【０２４４】
第２発明の手段３の遊技機は、手段１または２に記載の遊技機であって、
前記被案内部は、第１被案内部（例えば、第１被案内軸部４１３ｂ）と該第１被案内部より前記第２位置側に配置される第２被案内部（例えば、第２被案内軸部４１３ａ）と、を有し、
前記案内部は、第１案内部（例えば、第１案内孔部４２０Ｂ）と該第１案内部よりも前記第２位置側に配置される第２案内部（例えば、第２案内孔部４２０Ａ）とを有し、
前記第２案内部は、前記第１案内部に対し前記一面の反対面側にずれて配置され（例えば、案内孔部４２０は、該案内孔部４２０の下端側（第１位置側）に設けられた第１案内孔部４２０Ｂと、第１案内孔部４２０Ｂの上端側（第２位置側）に設けられ第１案内孔部４２０Ｂよりも背面側（一面の反対側）にずれて配置される第２案内孔部４２０Ａと、から構成されている。）、
前記可動体が前記第１位置に位置しているときには、前記第１被案内部及び前記第２被案内部が前記第１案内部に位置し、
前記可動体が前記第２位置に位置しているときには、前記第１被案内部は前記第１案内部に位置し、前記第２被案内部は前記第２案内部に位置する（例えば、第２可動体４００Ｌが待機位置にあるときには、第１被案内軸部４１３ｂと第２被案内軸部４１３ａとが第１案内孔部４２０Ｂに配置されており、第２可動体４００Ｌが演出位置にあるときには、第１被案内軸部４１３ｂが第１案内孔部４２０Ｂに配置され、第２被案内軸部４１３ａが第１案内孔部４２０Ｂよりも背面側にずれて形成される第２案内孔部４２０Ａに配置されるようになっている。図１１及び図１２参照。）
ことを特徴としている。
この特徴によれば、可動体を第２位置へ移動させたときに、一方の第１被案内部は第１案内部により反対面側への移動が規制され、他方の第２被案内部は第２案内部により一面側への移動が規制されるため、可動体が所定部材に対し一面側に離れたり傾いたりすることを好適に抑えることができる。
【０２４５】
詳しくは、第２可動体４００Ｌが演出位置に位置したときには、第１被案内軸部４１３ｂ及び第２被案内軸部４１３ａにより案内孔部４２０を前後から狭持するようになるため、第２可動体４００Ｌが前側に離れたり、傾いたりすることが抑えられ、演出位置において第２可動体４００Ｌが適正位置に配置される。
【０２４６】
第２発明の手段４の遊技機は、手段１または２に記載の遊技機であって、
前記案内部（例えば、案内孔部４４２）は、第１案内部（例えば、第１案内孔部４４２Ｂ）と該第１案内部よりも前記第２位置側に配置される第２案内部（例えば、第２案内孔部４４２Ａ）とを有し、
前記第２案内部は、前記第１案内部よりも深さ寸法が大きい（例えば、第２案内孔部４４２Ａの前後幅Ｌ７（深さ寸法）は、第１案内孔部４４２Ｂの前後幅Ｌ６（深さ寸法）よりも大きい（Ｌ６＜Ｌ７）。図３４参照）
ことを特徴としている。
この特徴によれば、可動体が第２位置に移動したときに、案内部に対する被案内部の遊びが小さくなるため、可動体が所定部材に対し一面側に離れたり傾いたりすることを好適に抑えることができる。
【０２４７】
詳しくは、第２被案内軸部４１３ａにおける係止部４１７ａと係止部４１７ｂとの間隔Ｌ２は、第２案内孔部４４２Ａの前後幅Ｌ７と同一となっており、第２可動体４４０が演出位置にあるときには、第２被案内軸部４１３ａが第２案内孔部４４２Ａに配置されているので、第２可動体４４０が演出位置にあるときには、ベース部材４４１に対して第２可動体４４０の前後に移動または傾くことが可能な遊びが無い状態、または小さい状態となるため、演出位置において第２可動体４４０を適正に配置することができる。
【０２４８】
第２発明の手段５の遊技機は、手段４に記載の遊技機であって、
前記被案内部は、第１被案内部と該第１被案内部より前記第２位置側に配置される第２被案内部と、を有し、
前記可動体が前記第１位置に位置しているときには、前記第１被案内部及び前記第２被案内部が前記第１案内部に位置し（例えば、第２可動体４４０が待機位置にあるときには、第１被案内軸部４１３ｂと第２被案内軸部４１３ａとが第１案内孔部４４２Ｂに配置されているため、第２可動体４４０が演出位置に移動するまでの間の区間は、第１被案内軸部４１３ｂ及び第２被案内軸部４１３ａと第１案内孔部４４２Ｂとの接触面積を減らしてスムーズに第２可動体４４０を移動させることができるようになっている。）、
前記可動体が前記第２位置に位置しているときには、前記第１被案内部は前記第１案内部に位置し、前記第２被案内部は前記第２案内部に位置する（例えば、第２可動体４４０が演出位置にあるときには、第１被案内軸部４１３ｂが第１案内孔部４４２Ｂに配置され、第２被案内軸部４１３ａが第２案内孔部４４２Ａに配置されており、第２可動体４４０の上端の前後の移動及び傾くことが可能な遊びが無い状態、または小さい状態となるため、演出位置において第２可動体４４０を適正に配置することができる。図３４参照。）
ことを特徴としている。
この特徴によれば、可動体を第２位置へ移動させたときに、第２被案内部が第１被案内部よりも反対面側にずれた位置に維持されるため、可動体が所定部材に対し一面側に離れたり傾いたりすることを好適に抑えることができる。
【０２４９】
詳しくは、第２可動体４４０が待機位置にあるときには、第１被案内軸部４１３ｂと第２被案内軸部４１３ａとが第１案内孔部４４２Ｂに配置されているため、第２可動体４４０が演出位置に移動するまでの間の区間は、第１被案内軸部４１３ｂ及び第２被案内軸部４１３ａと第１案内孔部４４２Ｂとの接触面積を減らしてスムーズに第２可動体４４０を移動させることができるようになっている。また、第２可動体４４０が演出位置にあるときには、第１被案内軸部４１３ｂが第１案内孔部４４２Ｂに配置され、第２被案内軸部４１３ａが第２案内孔部４４２Ａに配置されており、ベース部材４４１との間に第２可動体４４０が前後に移動可能または傾くことが可能な遊びが無い状態、または小さい状態となるため、演出位置において第２可動体４４０を適正に配置することができる。
【０２５０】
第２発明の手段６の遊技機は、手段１〜５のいずれかに記載の遊技機であって、
前記可動体を前記第２位置側へ付勢する付勢手段を備える（例えば、第２可動体４００Ｌは、ねじりバネ４０６Ｌにより常に演出位置側に向けて付勢されている。図１４参照。）
ことを特徴としている。
この特徴によれば、可動体を第２位置まで移動させることができる。
【０２５１】
詳しくは、第２可動体４００Ｌは、ねじりバネ４０６Ｌにより常に演出位置側に向けて付勢されているので、前述のように、第２被案内軸部４１３ａの係止部４１７ｂがリブ４１６の傾斜部４１６ａを移動するときにかかる摩擦や、該傾斜部４１６ａを越えて第２案内孔部４２０Ａに対応するリブ４１６を移動するときにかかる摩擦により第２可動体４００Ｌが移動しにくくなっても確実に演出位置まで移動させることができる。また、ねじりバネ４０６Ｌは、第２可動体４００Ｌが演出位置にあるときにおいても、該第２可動体４００Ｌを演出位置側に付勢しているので、第２可動体４００Ｌが演出位置にある状態を維持できる。
【０２５２】
第２発明の手段７の遊技機は、手段１〜６のいずれかに記載の遊技機であって、
前記可動体は、前記第２位置まで移動したときに特定部材（例えば、第２可動体４００Ｌに対する第２可動体４００Ｒ／第２可動体４００Ｒに対する第２可動体４００Ｌ／第１可動体３００Ｌ，３００Ｒ）と合体する（例えば、第２可動体４００Ｌ，４００Ｒが演出位置に移動し、左右方向に連設されるように合体して一の演出部を形成した演出状態。／第１可動体３００Ｌ，３００Ｒと第２可動体４００Ｌ，４００Ｒとが正面視リング状の演出部を構成される。図１５，図１６参照）
ことを特徴としている。
この特徴によれば、可動体が第２位置へ移動したときに一面側への移動が規制されることで、特定部材に対して面一に合体させやすくなる。
【０２５３】
詳しくは、第２可動体４００Ｌ，４００Ｒの前後の移動や傾きが抑えられるため、演出位置において、第２可動体４００Ｌ，４００Ｒの前面４３０Ｌ，４３０Ｒ同士を面一に揃えることができるとともに、第１可動体３００Ｌ，３００Ｒの前面３３０Ｌ，３３０Ｒと第２可動体４００Ｌ，４００Ｒの前面４３０Ｌ，４３０Ｒとを面一に揃えることができる。
【０２５４】
また、前記実施の形態には、以下に示す第３発明が含まれている。つまり、従来、動作可能な可動体を備えた遊技機において、例えば、特開２０１２−１９９２０号公報等に記載されたもののように、可動体の一端部側に駆動源の動力が作用することで、可動体の一端部と他端部とが平行にスライド移動するもの等があった。上記特許公報に記載の遊技機では、駆動源の動力が作用する部位から遠い位置にある可動体の他端部は、ガイド部材に沿って移動自在となっているため、可動体を所定位置に移動させたときに、可動体の他端部を適正位置に安定して停止させることが困難であるという問題があった。そこで、可動体が所定位置まで移動したときに第２端部を適正位置に停止させることができる遊技機を提供することを目的として、第３発明の手段１の遊技機は、
遊技が可能な遊技機（例えば、パチンコ遊技機１）であって、
所定位置（例えば、第３可動体５００Ｌ，５００Ｒの演出位置）へ向けて移動可能な可動体（例えば、第３可動体５００Ｌ，５００Ｒ／第３可動体５８０）を備え、
前記可動体は、該可動体の一方側の第１端部（例えば、上端部５１１Ｌ，５１１Ｒ／上端部５８１）よりも他方側の第２端部（例えば、下端部５１２Ｌ，５１２Ｒ／下端部５８２）に近い被作用部（例えば、被作用部５１５Ｌ，５１５Ｒ／被作用部５８６）に駆動源の動力が作用することで、前記第１端部と前記第２端部とが前記所定位置へ向けて移動するものであり（例えば、第３可動体５００Ｌ，５００Ｒは、画像表示装置５の左右位置に退避した待機位置（特定位置（図１８（Ａ）、図２０（Ａ）、図２１（Ａ）参照））と、画像表示装置５の中央位置の前面側に重複する演出位置（所定位置（図１８（Ｂ）、図２０（Ｂ）、図２１（Ｂ）参照））と、の間で該第３可動体５００Ｌ，５００Ｒの姿勢を保ったまま左右方向に移動可能とされている。）、
前記可動体が前記所定位置に移動したときに該可動体における前記第２端部よりも前記第１端部に近い所定部（例えば、所定部５６０は、第３可動体５００Ｌの上端部５１１Ｌ近傍の側面である。）に接触して移動を規制する接触部（例えば、移動規制部５４０Ｌは、第３可動体５００Ｌが演出位置にあるときに、該第３可動体５００Ｌの上端部５１１Ｌ近傍に設けられた所定部５６０に接触して右側への移動を規制している。）と、
を備え、
前記接触部と前記所定部のうち少なくとも一方は、該接触部と該所定部との接触による衝撃を吸収可能である（例えば、第３可動体５００Ｌ，５００Ｒが待機位置から演出位置に移動するときには、移動規制部５４０Ｌ，５４０Ｒと所定部５６０との接触による衝撃が吸収されながら移動規制される。図１８、図２０、図２１参照）
ことを特徴としている。
この特徴によれば、被作用部から遠い第１端部の近傍の所定部と接触部との接触による衝撃が吸収されることによって、可動体が所定位置まで移動したときに第２端部を適正位置に停止させることができる。
【０２５５】
詳しくは、被作用部５１５Ｌ，５１５Ｒから遠い第３可動体５００Ｌ，５００Ｒの上端部５１１Ｌ，５１１Ｒ側を移動規制部５４０Ｌ，５４０Ｒに接触するまで移動させることができるとともに、接触による衝撃が緩衝部材５４１により吸収されることで、第３可動体５００Ｌ，５００Ｒの上端部５１１Ｌ，５１１Ｒ側が適正位置に維持されるように停止させることができる。
【０２５６】
また、第３可動体５００Ｌ，５００Ｒのように、上端部５１１Ｌ，５１１Ｒと下端部５１２Ｌ，５１２Ｒとがフリーな状態で移動案内されるものにおいて、駆動源の動力が作用する被作用部５１５Ｌ，５１５Ｒを下端部５１２Ｌ，５１２Ｒ寄りに設けても、上端部５１１Ｌ，５１１Ｒを適正位置に停止させることができる。よって、上端部５１１Ｌ，５１１Ｒと下端部５１２Ｌ，５１２Ｒとに駆動源の動力を作用させる被作用部を設けることなく、第３可動体５００Ｌ，５００Ｒの移動方向の一側方（下方）に設けた一の駆動源により該第３可動体５００Ｌ，５００Ｒを移動させることができる。
【０２５７】
第３発明の手段２の遊技機は、手段１に記載の遊技機であって、
前記可動体における前記第２端部側は、スライドレール構造によって移動が案内される（例えば、下部案内部材５２２Ｌ，５２２Ｒは、ベース部材７００の下部に前面側から取付けられるスライドレール構造である。図１８〜図２０、図２２参照）
ことを特徴としている。
この特徴によれば、第２端部の動作時におけるがたつきを小さくできる。
【０２５８】
詳しくは、下部案内部材５２２Ｌ，５２２Ｒは、ベース部材７００の下部に前面側から取付けられるスライドレール構造であり、第３可動体５００Ｌ，５００Ｒの下端部５１２Ｌ，５１２Ｒを案内するようになっているため、第３可動体５００Ｌ，５００Ｒの移動時に生じるがたつきを小さくできる。すなわち、被作用部５１５Ｌ，５１５Ｒに近い第３可動体５００Ｌ，５００Ｒの下端部５１２Ｌ，５１２Ｒの移動が安定するので、第３可動体５００Ｌ，５００Ｒが姿勢を保った状態で移動させやすい。
【０２５９】
第３発明の手段３の遊技機は、手段１または２に記載の遊技機であって、
前記可動体は、前記所定位置と特定位置（例えば、第３可動体５００Ｌ，５００Ｒの演出位置）との間で移動可能であり、
前記可動体が前記特定位置に移動したときに該可動体に接触して移動を規制する特定接触部（例えば、特定移動規制部５３０Ｌは、第３可動体５００Ｌが待機位置にあるときに、該第３可動体５００Ｌの突起部５５０（特定部）に接触して左側への移動を規制している。）と、
を備え、
前記特定接触部と前記可動体のうち少なくとも一方は、該特定接触部と該可動体との接触による衝撃を吸収可能である（例えば、演出位置から待機位置に移動するときには、特定移動規制部５３０Ｌ，５３０Ｒと突起部５５０との接触による衝撃が吸収されながら移動規制されるようになっている。図１８、図２０、図２１参照）
ことを特徴としている。
この特徴によれば、可動体が所定位置及び特定位置の双方で緩衝されるため、可動体の所定位置と特定位置との間での往復移動を素早く行うことができる。
【０２６０】
詳しくは、第３可動体５００Ｌ，５００Ｒが演出位置から待機位置に移動するときには、特定移動規制部５３０Ｌ，５３０Ｒと突起部５５０との接触による衝撃が吸収されながら移動規制されるようになっている。つまり、演出位置と待機位置との両側に移動規制部５４０Ｌ，５４０Ｒ及び特定移動規制部５３０Ｌ，５３０Ｒが形成されており、第３可動体５００Ｌ，５００Ｒが停止されるので、第３可動体５００Ｌ，５００Ｒを待機位置と演出位置との間で高速に移動させることができ、第３可動体５００Ｌ，５００Ｒを用いた演出の演出効果が向上する。また、特定移動規制部５３０Ｌ，５３０Ｒと突起部５５０との接触による衝撃が緩衝部材５３１により吸収されるため、第３可動体５００Ｌ，５００Ｒの破損を防止できる。
【０２６１】
また、移動規制部５４０Ｌ，５４０Ｒは、被作用部５１５Ｌ，５１５Ｒから遠い第３可動体５００Ｌ，５００Ｒの上端部５１１Ｌ，５１１Ｒ側に設けられているため、待機位置においても移動規制部５４０Ｌ，５４０Ｒにより第３可動体５００Ｌ，５００Ｒを適正位置に停止させることができる。
【０２６２】
第３発明の手段４の遊技機は、手段３に記載の遊技機であって、
前記特定接触部は、前記可動体における前記接触部との接触位置よりも前記第１端部側または前記第２端部側に接触可能である（例えば、第３可動体５００Ｌ，５００Ｒが、移動規制部５４０Ｌ，５４０Ｒ及び特定移動規制部５３０Ｌ，５３０Ｒに対し高さの異なる所定部５６０及び突起部５５０で接触する。図１８、図２０、図２１参照）
ことを特徴としている。
この特徴によれば、可動体の１個所に衝撃の負荷が集中することを回避できるため、部材の破損を防止できる。
【０２６３】
詳しくは、移動規制部５４０Ｌ，５４０Ｒは、特定移動規制部５３０Ｌ，５３０Ｒよりも高い位置に配設されており、所定部５６０は、第３可動体５００Ｌ，５００Ｒにおいて突起部５５０よりも高い位置に配設されているので、第３可動体５００Ｌ，５００Ｒの１個所に衝撃時の負荷が集中して、第３可動体５００Ｌ，５００Ｒ（板状部材５１４Ｌ，５１４Ｒ）が破損することを防止できる。
【０２６４】
以上、本発明の実施の形態を図面により説明してきたが、具体的な構成はこれら実施の形態に限られるものではなく、本発明の要旨を逸脱しない範囲における変更や追加があっても本発明に含まれる。
【０２６５】
例えば、前記実施の形態では、ベース部材３０１に対してアーム３０３Ｌ，３０３Ｒの一端が回動可能であり、アーム３０３Ｌ，３０３Ｒの他端に第１可動体３００Ｌ，３００Ｒが回動可能に取付けられている形態を例示したが、本発明はこれに限られるものではなく、例えば、ベース部材３０１に対して第１可動体３００Ｌ，３００Ｒが直接回動可能に取付けられていてもよい。
【０２６６】
また、前記実施の形態における軸受部(軸受部３２３及び凹部３２４)と軸部(軸部３２１)との間の遊びとは、軸受部と軸部との間に意図的に設けた隙間であってもよいし、設計上の寸法公差により生じる隙間であってもよい。
【０２６７】
また、前記実施の形態では、第１可動体３００Ｌ，３００Ｒの両方に規制部３２４ａが設けられる形態を例示したが、本発明はこれに限られるものではなく、第１可動体３００Ｌ，３００Ｒの少なくとも一方に設けられていればよい。例えば、第１可動体３００Ｌ，３００Ｒの一方に規制部３２４ａを設け、第１可動体３００Ｌ，３００Ｒの他方に規制部３２４ａを設けない形態としてもよい。
【０２６８】
また、第１可動体は、前記実施の形態の第１可動体３００Ｌ，３００Ｒのように２つ設けられることに限られず、少なくとも１つ設けられていればよい。尚、第１可動体は、３つ以上設けられていてもよい。
【０２６９】
また、第１可動体を動作させる部材を複数設け、各部材間を軸部と軸受部とからなる連結部で接続してもよい。すなわち、軸部と軸受部とからなる連結部を複数設け、多関節のアームを構成し、該アームにより第１可動体を回動させてもよい。この場合、任意の連結部に規制部を設けてもよい。
【０２７０】
また、第１可動体３００Ｌ，３００Ｒは、待機位置と演出位置との間で上下方向に回動するものに限られず、左右方向または斜め方向に回動するようになっていてもよい。つまり、第１可動体３００Ｌ，３００Ｒが回動可能となっていればよく、第１可動体３００Ｌ，３００Ｒの待機位置及び演出位置は、自由に変更することができる。
【０２７１】
また、前記実施の形態では、第１可動体３００Ｌ，３００Ｒが演出位置にあるときに、第１可動体３００Ｌ，３００Ｒとアーム３０３Ｌ，３０３Ｒとの連結部分における下部に規制部３２４ａが配置され、特に第１可動体３００Ｌ，３００Ｒの下端が前方側に移動するような傾きを好適に規制できるようになっていたが、本発明はこれに限られるものではなく、第１可動体３００Ｌ，３００Ｒが演出位置にあるときに、前記連結部分の上側、または左右側に設けてもよい。
【０２７２】
具体的には、第１可動体３００Ｌ，３００Ｒが演出位置にあるときに、第１可動体３００Ｌ，３００Ｒとアーム３０３Ｌ，３０３Ｒとの連結部分の上側に規制部３２４ａが配置される場合には、第１可動体３００Ｌ，３００Ｒの下端が後方側に移動するような傾きを好適に規制できる。また、第１可動体３００Ｌ，３００Ｒが演出位置にあるときに、第１可動体３００Ｌ，３００Ｒとアーム３０３Ｌ，３０３Ｒとの連結部分の左右両側に規制部３２４ａが配置される場合には、第１可動体３００Ｌ，３００Ｒの左右方向の傾きを好適に規制できる。
【０２７３】
また、前記実施の形態では、軸受部３２３に規制部３２４ａが設けられる形態を例示したが、本発明はこれに限られるものではなく、軸部３２１と軸受部３２３との間に規制部３２４ａが設けられていればよく、例えば、軸部３２１に規制部を設けてもよいし、軸部３２１と軸受部３２３とは別部材の規制部を軸部３２１と軸受部３２３との間に配置してもよい。
【０２７４】
また、前記実施の形態では、演出位置において、第１可動体３００Ｌ，３００Ｒ同士、または第１可動体３００Ｌ，３００Ｒ及び第２可動体４００Ｌ，４００Ｒ同士が合体する形態を例示したが、本発明はこれに限られるものではなく、例えば、固定的に設置される装飾部材などの構造物に対して合体するようになっていてもよい。すなわち、第１可動体３００Ｌ，３００Ｒが演出位置において合体する対象となる特定部材は、自由に設計変更することができる。
【０２７５】
尚、前記実施の形態では、案内孔部４２０に被案内軸部４１３ａ，４１３ｂが案内される形態を例示したが、本発明はこれに限られるものではなく、第２可動体４００Ｌ，４００Ｒを第１位置と第２位置との間で案内できればよく、案内部及び被案内部の形状は自由に変更できる。また、案内部を軸形状とし、被案内部を孔形状または溝形状としてもよい。
【０２７６】
また、前記実施の形態における案内部及び被案内部の間の遊びとは、案内部と被案内部との間に意図的に設けた隙間であってもよいし、設計上の寸法公差により生じる隙間であってもよい。
【０２７７】
また、前記実施の形態では、待機位置よりも演出位置において被案内軸部４１３ａの遊びが小さくなることで第２可動体４００Ｌ，４００Ｒの傾きが適正になるように修正されていたが、本発明はこれに限られるものではなく、案内部の演出位置側が待機位置側よりも後方側に傾いて構成され、案内部に沿って第２可動体４００Ｌ，４００Ｒが移動することで第２可動体４００Ｌ，４００Ｒが後方側に傾くように構成されていてもよい。
【０２７８】
また、第２可動体は、前記実施の形態の第２可動体４００Ｌ，４００Ｒのように２つ設けられることに限られず、少なくとも１つ設けられていればよい。尚、第２可動体は、３つ以上設けられていてもよい。
【０２７９】
また、第２可動体４００Ｌ，４００Ｒは、待機位置と演出位置との間で上下方向に移動するものに限られず、左右方向または斜め方向に移動するようになっていてもよい。つまり、第２可動体４００Ｌ，４００Ｒの待機位置及び演出位置は、自由に変更することができる。また、第２可動体４００Ｌ，４００Ｒは、待機位置及び演出位置の間で、湾曲状（円弧状）に移動するものでもよいし、直線状に移動するものでもよい。
【０２８０】
また、被案内軸部は、第１被案内軸部４１３ｂと第２被案内軸部４１３ａと２つ設けられることに限られず、１つであってもよい。例えば、図３４(変形例２)に示すように、第２案内孔部４４２Ａの前後幅Ｌ７（深さ寸法）が、第１案内孔部４４２Ｂの前後幅Ｌ６（深さ寸法）よりも大きくなっていれば、被案内軸部は１つであっても、演出位置に移動したときに第２可動体４００Ｌ，４００Ｒの傾きを規制できる。
【０２８１】
また、前記実施の形態では、第２可動体４００Ｌ，４００Ｒがベース部材４０１Ｌ，４０１Ｒの前面側に配置されている形態を例示したが、本発明はこれに限定されるものではなく、背面側に配置されていてもよい。また、第２可動体４００Ｌ，４００Ｒがベース部材４０１Ｌ，４０１Ｒの前面側に配置されていなくても、少なくとも重心位置がベース部材４０１Ｌ，４０１Ｒの一面側に位置するように設けられていれば、第２可動体４００Ｌ，４００Ｒの一部がベース部材４０１Ｌ，４０１Ｒの上方や背面側に位置していてもよい。
【０２８２】
また、前記実施の形態では、演出位置において、第２可動体４００Ｌ，４００Ｒ同士、または第１可動体３００Ｌ，３００Ｒ及び第２可動体４００Ｌ，４００Ｒ同士が合体する形態を例示したが、本発明はこれに限られるものではなく、例えば、固定的に設置される装飾部材などの構造物に対して合体するようになっていてもよい。すなわち、第２可動体４００Ｌ，４００Ｒが演出位置において合体する対象となる特定部材は、自由に設計変更することができる。
【０２８３】
尚、前記実施の形態では、第３可動体５００Ｌ，５００Ｒの上端部５１１Ｌ，５１１Ｒを第１端部とし、第３可動体５００Ｌ，５００Ｒの下端部５１２Ｌ，５１２Ｒを第２端部とする形態を例示したが、本発明はこれに限られるものではなく下端部５１２Ｌ，５１２Ｒを第１端部とし、上端部５１１Ｌ，５１１Ｒを第２端部としてもよい。また、被作用部５１５Ｌ，５１５Ｒは、第２端部に近い位置、つまり、第３可動体５００Ｌ，５００Ｒの中央位置よりも第２端部側に設けられていればよい。
【０２８４】
また、前記実施の形態では、第３可動体５００Ｌ，５００Ｒが姿勢を保った状態で移動(上端部５１１Ｌ，５１１Ｒ及び下端部５１２Ｌ，５１２Ｒが平行に移動)するようになっていたが、本発明はこれに限られるものではなく、例えば、第３可動体５００Ｌ，５００Ｒが被作用部５１５Ｌ，５１５Ｒを中心として回動するようになっていてもよい。
【０２８５】
また、第３可動体は、前記実施の形態の第３可動体５００Ｌ，５００Ｒのように２つ設けられることに限られず、少なくとも１つ設けられていればよい。尚、第３可動体は、３つ以上設けられていてもよい。
【０２８６】
また、第３可動体５００Ｌ，５００Ｒは、待機位置と演出位置との間で左右方向に移動するものに限られず、上下方向または斜め方向に移動するようになっていてもよい。つまり、第３可動体５００Ｌ，５００Ｒの待機位置及び演出位置は、自由に変更することができる。
【０２８７】
また、第３可動体５００Ｌ，５００Ｒは、演出位置において第１可動体３００Ｌ，３００Ｒや第２可動体４００Ｌ，４００Ｒや装飾部材等の特定部材に合体するようになっていてもよい。第３可動体５００Ｌ，５００Ｒは、演出位置において適正位置に停止されるので前記特定部材に対して適正に合体させることができる。
【０２８８】
また、前記実施の形態では、第３可動体５００Ｌ，５００Ｒは、回動アーム（アーム５０３Ｌ，５０３Ｒ）により移動されるものであるが、本発明はこれに限定されるものではなく、例えば、ラックとピニオンなどのギヤ部材により駆動されるものであってもよく、第３可動体５００Ｌ，５００Ｒを駆動させる機構は自由に変更することができる。
【０２８９】
また、前記実施の形態では、第３可動体５００Ｌ，５００Ｒの所定部５６０が、移動規制部５４０Ｌ，５４０Ｒの緩衝部材５４１に接触することにより衝撃が吸収されることで演出位置にて移動が規制されて該演出位置に維持される形態を例示したが、本発明はこれに限定されるものではなく、例えば、緩衝部材５４１に替えて、所定部と接触部との一方に凸部、他方に該凸部が挿入可能な凹部を形成し、第３可動体が演出位置に近づくにつれて所定部と接触部との接触面積または接触（摩擦）抵抗が漸次増加するように凸部が凹部に挿入されるようにすることで、所定部と接触部との接触面積または摩擦抵抗の増加によって第３可動体が減速しながら停止されるようにしてもよい。つまりこの場合、所定部と接触部との接触が瞬間的ではなく、所定期間にわたり継続的に行われることで接触による衝撃が吸収可能となる。また、緩衝部材５４１と突出部５４２との間にバネ部材等を設けることにより接触による衝撃が吸収可能とすれば、緩衝部材５４１に替えて非緩衝部材を適用することも可能である。尚、この構成は、第３可動体の待機位置における特定移動規制部にも採用可能である。
【０２９０】
前記実施の形態では、遊技機の一例としてパチンコ遊技機１を例示しているが、本発明はこれに限定されるものではなく、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。尚、これら封入式遊技機においては遊技球ではなく得点やポイントが遊技者に付与されるので、これら付与される得点やポイントが遊技価値に該当する。
【０２９１】
また、前記実施の形態では、遊技機の一例としてパチンコ遊技機が適用されていたが、例えば遊技用価値を用いて１ゲームに対して所定数の賭数を設定することによりゲームが開始可能となるとともに、各々が識別可能な複数種類の図柄を変動表示可能な変動表示装置に変動表示結果が導出されることにより１ゲームが終了し、該変動表示装置に導出された変動表示結果に応じて入賞が発生可能とされたスロットマシンにも適用可能である。
【０２９２】
また、前記実施の形態では、遊技媒体の一例として、球状の遊技球（パチンコ球）が適用されていたが、球状の遊技媒体に限定されるものではなく、例えば、メダル等の非球状の遊技媒体であってもよい。
【符号の説明】
【０２９３】
１          パチンコ遊技機
２１０      目玉ユニット
３０３Ｌ，３０３Ｒ    アーム
３２１      軸部
３２３      軸受部
３２４      凹部
３２４ａ    規制部
４００Ｌ，４００Ｒ    第２可動体
４１３ａ，４１３ｂ    被案内軸部
４２１      案内孔部
５００Ｌ，５００Ｒ    第３可動体
５１５Ｌ，５１５Ｒ    被作用部
５４０Ｌ，５４０Ｒ    移動規制部
【図１】
2020068810.tif 000003
【図２】
2020068810.tif 000004
【図３】
2020068810.tif 000005
【図４】
2020068810.tif 000006
【図５】
2020068810.tif 000007
【図６】
2020068810.tif 000008
【図７】
2020068810.tif 000009
【図８】
2020068810.tif 000010
【図９】
2020068810.tif 000011
【図１０】
2020068810.tif 000012
【図１１】
2020068810.tif 000013
【図１２】
2020068810.tif 000014
【図１３】
2020068810.tif 000015
【図１４】
2020068810.tif 000016
【図１５】
2020068810.tif 000017
【図１６】
2020068810.tif 000018
【図１７】
2020068810.tif 000019
【図１８】
2020068810.tif 000020
【図１９】
2020068810.tif 000021
【図２０】
2020068810.tif 000022
【図２１】
2020068810.tif 000023
【図２２】
2020068810.tif 000024
【図２３】
2020068810.tif 000025
【図２４】
2020068810.tif 000026
【図２５】
2020068810.tif 000027
【図２６】
2020068810.tif 000028
【図２７】
2020068810.tif 000029
【図２８】
2020068810.tif 000030
【図２９】
2020068810.tif 000031
【図３０】
2020068810.tif 000032
【図３１】
2020068810.tif 000033
【図３２】
2020068810.tif 000034
【図３３】
2020068810.tif 000035
【図３４】
2020068810.tif 000036
【図３５】
2020068810.tif 000037
【図３６】
2020068810.tif 000038